(57)【要約】  本発明は、ＬＴＥのような４Ｇ通信システム以後より高いデータ伝送レートをサポートするための５Ｇ又はＰｒｅ５Ｇ通信システムに関する。このために、大規模アンテナを使用する基地局が基準信号の伝送のために複数の基準信号構成情報と基準信号ポート情報を含む基準信号リソース構成情報を端末に伝送し、基準信号リソース構成情報に含まれている複数の基準信号構成情報と基準信号ポート情報により指示されるチャンネル測定リソースのうち一部又は全部を利用して基準信号を端末に伝送する。この場合、チャンネル測定リソースは、複数の基準信号構成情報と基準信号ポート情報との組み合わせにより指示される個数だけのアンテナポートに対応する。
2018512027.tif 000002
【特許請求の範囲】
【請求項１】
大規模アンテナを使用する基地局がダウンリンクのチャンネル状態を測定するための基準信号を伝送する方法であって、
前記基準信号の伝送のために複数の基準信号構成情報と基準信号ポート情報を含む基準信号リソース構成情報を端末に伝送するステップと、
前記基準信号リソース構成情報に含まれている前記複数の基準信号構成情報と前記基準信号ポート情報により指示されるチャンネル測定リソースのうち一部又は全部を利用して前記基準信号を前記端末に伝送するステップと、を有し、
前記チャンネル測定リソースは、前記複数の基準信号構成情報と前記基準信号ポート情報との組み合わせにより指示される個数だけのアンテナポートに対応することを特徴とする基準信号伝送方法。
【請求項２】
前記複数の基準信号構成情報は基準信号リソースの個数を定義し、前記基準信号ポート情報は一つの基準信号リソースに対応するアンテナポートの個数を定義する請求項１に記載の基準信号伝送方法。
【請求項３】
前記チャンネル測定リソースに対応するアンテナポートの全体個数は、前記基準信号リソースの個数と前記アンテナポートの個数との積により決定されることを特徴とする請求項２に記載の基準信号伝送方法。
【請求項４】
前記複数の基準信号構成情報は前記アンテナポートの位置情報を含むことを特徴とする請求項２に記載の基準信号伝送方法。
【請求項５】
大規模アンテナを使用する無線通信システムにおけるダウンリンクのチャンネル状態を測定するための基準信号を伝送する基地局であって、
前記基準信号の伝送のために複数の基準信号構成情報と基準信号ポート情報を含む基準信号リソース構成情報を構成する制御部と、
前記基準信号リソース構成情報を端末に伝送し、前記基準信号リソース構成情報に含まれた前記複数の基準信号構成情報と前記基準信号ポート情報により指示されるチャンネル測定リソースのうち一部又は全部を用いて前記基準信号を前記端末に伝送する通信部と、を含み、
前記チャンネル測定リソースは、前記複数の基準信号構成情報と前記基準信号ポート情報との組み合わせにより指示される個数だけのアンテナポートに対応することを特徴とする基地局。
【請求項６】
前記複数の基準信号構成情報は基準信号リソースの個数を定義し、前記基準信号ポート情報は一つの基準信号リソースに対応するアンテナポートの個数を定義することを特徴とする請求項５に記載の基地局。
【請求項７】
前記チャンネル測定リソースに対応するアンテナポートの全体個数は、前記基準信号リソースの個数と前記アンテナポートの個数との積により決定されることを特徴とする請求項６に記載の基地局。
【請求項８】
前記複数の基準信号構成情報は前記アンテナポートの位置情報を含むことを特徴とする請求項６に記載の基地局。
【請求項９】
多重搬送波を利用する多重アクセス方式の無線通信システムにおける無線端末がチャンネル状態を報告する方法であって、
基地局から複数の基準信号構成情報と基準信号ポート情報を含む基準信号リソース構成情報を受信するステップと、
前記基準信号リソース構成情報に含まれた前記複数の基準信号構成情報と前記基準信号ポート情報により指示されるチャンネル測定リソースのうち一部又は全部を用いて基準信号を受信するステップと、
前記受信した基準信号を測定したダウンリンクチャンネル状態によるフィードバック情報を前記基地局に報告するステップと、を有し、
前記チャンネル測定リソースは、前記複数の基準信号構成情報と前記基準信号ポート情報との組み合わせにより指示される個数だけのアンテナポートに対応することを特徴とするチャンネル状態報告方法。
【請求項１０】
前記複数の基準信号構成情報は基準信号リソースの個数を定義し、前記基準信号ポート情報は一つの基準信号リソースに対応するアンテナポートの個数を定義することを特徴とする請求項９に記載のチャンネル状態報告方法。
【請求項１１】
前記チャンネル測定リソースに対応するアンテナポートの全体個数は、前記基準信号リソースの個数と前記アンテナポートの個数との積により決定されることを特徴とする請求項１０に記載のチャンネル状態報告方法。
【請求項１２】
前記複数の基準信号構成情報は前記アンテナポートの位置情報を含むことを特徴とする請求項１０に記載のチャンネル状態報告方法。
【請求項１３】
多重搬送波を利用する多重アクセス方式の無線通信システムにおけるチャンネル状態を報告する無線端末であって、
基地局から複数の基準信号構成情報と基準信号ポート情報を含む基準信号リソース構成情報を受信し、ダウンリンクチャンネル状態によるフィードバック情報を前記基地局に報告する通信部と、
前記基準信号リソース構成情報に含まれた前記複数の基準信号構成情報と前記基準信号ポート情報により指示されるチャンネル測定リソースのうち一部又は全部を用いて基準信号を受信するように前記通信部を制御し、前記受信した基準信号を測定したダウンリンクチャンネル状態による前記フィードバック情報を構成する制御部と、を含み、
前記チャンネル測定リソースは、前記複数の基準信号構成情報と前記基準信号ポート情報との組み合わせにより指示される個数だけのアンテナポートに対応することを特徴とする無線端末。
【請求項１４】
前記複数の基準信号構成情報は基準信号リソースの個数を定義し、前記基準信号ポート情報は一つの基準信号リソースに対応するアンテナポートの個数を定義することを特徴とする請求項１３に記載の無線端末。
【請求項１５】
前記チャンネル測定リソースに対応するアンテナポートの全体個数は、前記基準信号リソースの個数と前記アンテナポートの個数との積により決定されることを特徴とする請求項１４に記載の無線端末。
【発明の詳細な説明】
【技術分野】
【０００１】
本発明は、大規模アンテナシステムにおいてダウンリンクチャンネル状態情報に基づいてリソース割り当てを実行する装置及び方法に関する。
【背景技術】
【０００２】
４Ｇ(4th-generation)通信システムの商用化以後に増加している無線データトラフィック需要を満たすために、改善された５Ｇ通信システム又はＰｒｅ５Ｇ通信システムを開発するための努力がなされている。このような理由で、５Ｇ通信システム又はＰｒｅ５Ｇ通信システムは、４Ｇネットワーク以後の通信システム又はＬＴＥシステム以後のシステムと呼ばれる。
【０００３】
高いデータ伝送レートを達成するために、５Ｇ通信システムは、超高周波(ｍｍｆＷａｖｅ)帯域(例えば、６０ＧＨｚ帯域)における実現が考慮されている。超高周波帯域において電波の経路損失の緩和及び電波の伝送距離を増加させるために、５Ｇ通信システムではビームフォーミング、大規模多重入力多重出力(massive  MIMO)、ＦＤ-ＭＩＭＯ(Full  Dimensional  MIMO)、アレイアンテナ、アナログビームフォーミング、及び大規模アンテナ(large  scale  antenna)技術が論議されている。
【０００４】
さらに、システムのネットワーク改善のために、５Ｇ通信システムでは進化した小型セル、改善された小型セル、クラウド無線アクセスネットワーク(cloud  RAN)、超高密度ネットワーク(ultra-dense  network)、機器間通信(Ｄ２Ｄ)、無線バックホール、移動ネットワーク、協力通信、ＣｏＭＰ(Coordinated  Multi-Points)、及び受信干渉除去などの技術開発がなされている。
【０００５】
その他にも、５Ｇシステムでは進歩した符号化変調(ＡＣＭ)方式であるＦＱＡＭ(hybrid  FSK  and  QAM  Modulation)及びＳＷＳＣ(Sliding  Window  Superposition  Coding）と、進歩したアクセス技術であるＦＢＭＣ(Filter  Bbank  Multi  Carrier)、ＮＯＭＡ(Non-Orthogonal  Multiple  Access)、及びＳＣＭＡ(Sparse  Code  Multiple  Access)などが開発されている。
【０００６】
５Ｇ通信システムで論議されている大規模ＭＩＭＯ、ＦＤ-ＭＩＭＯ、及び大規模アンテナ技術が適用される無線通信システム(以下、“大規模アンテナシステム”と称する)は、従来の無線通信システムにおいて多重アンテナより多くの個数のアンテナで構成された複数の配列アンテナを使用することを前提とする。
【０００７】
例えば、ＬＴＥ/ＬＴＥ-Ａシステムでは、送受信アンテナの個数が２，４，８である場合に対する空間多重化がサポートされる。この場合、ランクは、最大８までサポートできる。
【０００８】
それによって、従来の無線通信システムに比べて相対的に多くの８個以上のアンテナを使用する大規模アンテナシステムで、ダウンリンクのチャンネル状態を考慮して高効率のデータ送受信を実行するための方案を用意することが必要であった。
【発明の概要】
【発明が解決しようとする課題】
【０００９】
したがって、本発明は上記した従来技術の問題点に鑑みてなされたものであって、その目的は、大規模アンテナシステムにおいて基地局がダウンリンクチャンネル状態を推定するための複数の基準信号に対応する構成情報を端末に通知し、通知した構成情報に基づいて上記端末からフィードバック情報を受信する装置及び方法を提供することにある。
【００１０】
本発明の他の目的は、大規模アンテナシステムにおいてデータ送受信を遂行するためのチャンネル状態情報を生成し、この生成したチャンネル状態情報を基地局と端末との間で共有する装置及び方法を提供することにある。
【００１１】
また、本発明の目的は、大規模アンテナシステムにおいて基地局が大規模アンテナをサポートするためのチャンネル状態情報基準信号(ＣＳＩ-ＲＳ）を設定する装置及び方法を提供することにある。
【００１２】
さらに、本発明の目的は、大規模アンテナシステムにおいて端末が無線チャンネル状態を測定し、この測定によるチャンネル状態情報を基地局にフィードバックする装置及び方法を提供することにある。
【００１３】
本発明の目的は、大規模アンテナシステムにおいて端末が単一ユーザーモード(ＳＵ-ＭＩＭＯ)とマルチユーザーモード(ＭＵ-ＭＩＭＯ)を考慮したチャンネル状態情報を構成して基地局にフィードバックする装置及び方法を提供することにある。
【００１４】
なお、本発明の目的は、大規模アンテナシステムにおいて基地局が端末からフィードバックされるチャンネル状態情報に基づいてＳＵ-ＭＩＭＯモードとＭＵ-ＭＩＭＯモードのうち一つとして決定した多重伝送モードにより上記端末にデータを送受信する装置及び方法を提供することにある。
【課題を解決するための手段】
【００１５】
上記のような目的を達成するために、本発明の一態様によれば、多重搬送波を利用する多重アクセス方式の無線通信システムにおける無線端末がチャンネル状態を報告する方法は、基地局から無線リソース構成情報を受信するステップ、受信した無線リソース構成情報を用いて受信した少なくとも一つ又は複数のチャンネル状態指示基準信号に基づいて多重アクセス方式による単一ユーザーモードとマルチユーザーモードの各々に対応するチャンネル状態情報を獲得するステップ、単一ユーザーモードに対応して獲得したチャンネル状態情報とマルチユーザーモードに対応して獲得したチャンネル状態情報に基づいて単一ユーザーモードとマルチユーザーモードのうちいずれか一つを伝送モードとして決定するステップ、及び決定した伝送モードを指示する伝送モード識別情報を基地局にフィードバックするステップを有する。
【００１６】
本発明の他の態様によれば、多重搬送波を利用する多重アクセス方式の無線通信システムにおいてチャンネル状態を報告する無線端末は、基地局から無線リソース構成情報を受信し、基地局からチャンネル状態情報を送信する通信部及び受信した無線リソース構成情報を用いて受信した少なくとも一つ又は複数のチャンネル状態指示基準信号に基づいて多重アクセス方式による単一ユーザーモードとマルチユーザーモードの各々に対応するチャンネル状態情報を獲得し、単一ユーザーモードに対応して獲得したチャンネル状態情報とマルチユーザーモードに対応して獲得したチャンネル状態情報に基づいて単一ユーザーモードとマルチユーザーモードのうちいずれか一つを伝送モードとして決定し、決定した伝送モードを指示する伝送モード識別情報を通信部を通じて基地局へフィードバックする制御部を含む。
【００１７】
本発明の他の態様によれば、大規模アンテナを使用する無線通信システムにおけるダウンリンクに対するリソース割り当て情報を伝送する基地局は、チャンネル状態情報のフィードバックのために構成された複数の基準信号構成グループを含む一つの基準信号構成情報を生成する制御部と、生成した一つの基準信号構成情報を端末へ伝送する通信部とを含み、複数の基準信号構成グループの各々は所定のリソース割り当て領域を構成するリソース要素のうちダウンリンクのチャンネル状態を測定するために使用する基準信号ポートを指示する情報を含む。
【００１８】
さらに、本発明の他の態様によれば、大規模アンテナを使用する基地局がダウンリンクのチャンネル状態を測定するための基準信号を伝送する方法が提供される。その方法は、基準信号の伝送のために複数の基準信号構成情報と基準信号ポート情報を含む基準信号リソース構成情報を端末に伝送するステップと、基準信号リソース構成情報に含まれている複数の基準信号構成情報と基準信号ポート情報により指示されるチャンネル測定リソースのうち一部又は全部を利用して基準信号を端末に伝送するステップとを有し、チャンネル測定リソースは、複数の基準信号構成情報と基準信号ポート情報との組み合わせにより指示される個数だけのアンテナポートに対応する。
【００１９】
本発明の他の態様によれば、大規模アンテナを使用する無線通信システムにおけるダウンリンクのチャンネル状態を測定するための基準信号を伝送する基地局が提供される。この基地局は、基準信号の伝送のために複数の基準信号構成情報と基準信号ポート情報を含む基準信号リソース構成情報を構成する制御部と、基準信号リソース構成情報を端末に伝送し、基準信号リソース構成情報に含まれた複数の基準信号構成情報と基準信号ポート情報により指示されるチャンネル測定リソースのうち一部又は全部を用いて基準信号を端末に伝送する通信部とを含み、チャンネル測定リソースは、複数の基準信号構成情報と基準信号ポート情報との組み合わせにより指示される個数だけのアンテナポートに対応する。
【００２０】
また、本発明の他の態様によれば、多重搬送波を利用する多重アクセス方式の無線通信システムにおける無線端末がチャンネル状態を報告する方法が提供される。その方法は、基地局から複数の基準信号構成情報と基準信号ポート情報を含む基準信号リソース構成情報を受信するステップと、基準信号リソース構成情報に含まれた複数の基準信号構成情報と基準信号ポート情報により指示されるチャンネル測定リソースのうち一部又は全部を用いて基準信号を受信するステップと、受信した基準信号を測定したダウンリンクチャンネル状態によるフィードバック情報を基地局に報告するステップとを有し、チャンネル測定リソースは、複数の基準信号構成情報と基準信号ポート情報との組み合わせにより指示される個数だけのアンテナポートに対応する。
【００２１】
さらに、本発明の他の態様によれば、多重搬送波を利用する多重アクセス方式の無線通信システムにおけるチャンネル状態を報告する無線端末が提供される。この無線端末は、基地局から複数の基準信号構成情報と基準信号ポート情報を含む基準信号リソース構成情報を受信し、ダウンリンクチャンネル状態によるフィードバック情報を基地局に報告する通信部と、基準信号リソース構成情報に含まれた複数の基準信号構成情報と基準信号ポート情報により指示されるチャンネル測定リソースのうち一部又は全部を用いて基準信号を受信するように通信部を制御し、受信した基準信号を測定したダウンリンクチャンネル状態によるフィードバック情報を構成する制御部とを含み、チャンネル測定リソースは、複数の基準信号構成情報と基準信号ポート情報との組み合わせにより指示される個数だけのアンテナポートに対応する。
【図面の簡単な説明】
【００２２】
【図１】本発明により提案される多様な実施形態によるＦＤ-ＭＩＭＯシステムを示す図である。
【図２】本発明により提案される多様な実施形態による無線通信システムにおけるアンテナ配列の例を示す図である。
【図３】本発明により提案される多様な実施形態によるＦＤ-ＭＩＭＯシステムにおける無線リソースの一例を示す図である。
【図４】本発明により提案される多様な実施形態のために、干渉測定リソース(ＩＭＲ）が適用される２個の基地局で伝送する信号を示す図である。
【図５】本発明により提案される多様な実施形態による多重アクセス方式をサポートする無線通信システムの一例を示す図である。
【図６】本発明により提案される多様な実施形態による多重アクセス方式をサポートする無線通信システムにおけるチャンネル推定手順を示す図である。
【図７】本発明により提案される多様な実施形態による基地局の構成を示す図である。
【図８】本発明により提案される多様な実施形態による端末の構成を示す図である。
【図９】本発明により提案される多様な実施形態により基地局で実行する制御手順を示すフローチャートである。
【図１０】本発明により提案される多様な実施形態により端末で実行する制御手順を示すフローチャートである。
【図１１】本発明により提案される多様な実施形態により、ＦＤ-ＭＩＭＯシステムにおいて端末が多重伝送モードを指示する識別情報を決定する制御フローを示す図である。
【図１２】本発明により提案される多様な実施形態により、ＦＤ-ＭＩＭＯシステムにおいて端末がＳＵ/ＭＵインジケータをｗＣＱＩに基づいてフィードバックするシナリオを示す図である。
【図１３】本発明により提案される多様な実施形態により、ＦＤ-ＭＩＭＯシステムにおいて端末がＳＵ/ＭＵインジケータをｓＣＱＩに基づいてフィードバックするシナリオを示す図である。
【図１４】本発明により提案される多様な実施形態により、ＦＤ-ＭＩＭＯシステムにおいて端末がＳＵ/ＭＵインジケータをｗＣＱＩとｓＣＱＩに別々にフィードバックするシナリオを示す図である。
【図１５】本発明により提案される多様な実施形態による大規模多重アンテナシステムにおいてアンテナ構成及び測定のためのＣＳＩ-ＲＳの構成例を示す図である。
【図１６】本発明により提案される実施形態によるＦＤ-ＭＩＭＯシステムにおいて複数のＣＳＩ-ＲＳ構成のための複数のＣＳＩ-ｐｒｏｃｅｓｓを設定する例を示す図である。
【図１７】本発明により提案される実施形態によるＦＤ-ＭＩＭＯシステムにおいて複数のＣＳＩ-ＲＳ構成のための一つのＣＳＩ-ｐｒｏｃｅｓｓを設定する例を示す図である。
【図１８】本発明により提案される多様な実施形態によるＦＤ-ＭＩＭＯシステムにおいてＣＳＩ-ＲＳの構成に対する一例を示す図である。
【図１９】本発明により提案される多様な実施形態により、一つのＣＳＩプロセスに複数のＣＳＩ-ＲＳ構成を連係(link)するための設定例を示す図である。
【図２０】本発明により提案される多様な実施形態により、複数のＣＳＩ-ＲＳリソース位置を用いてＣＳＩを生成する例を示す図である。
【図２１】本発明により提案される多様な実施形態により、基地局がＣＳＩ-ＲＳリソースとＣＳＩ-ＲＳポートインデックスをマッピングする例を示す図である。
【図２２】本発明により提案される多様な実施形態により交差点基準信号の位置に対する例を示す図である。
【図２３】本発明により提案される多様な実施形態により、ビットマップを用いて基地局のＣＳＩ-ＲＳパンクチャパターンを端末が認知する例を示す図である。
【図２４】本発明により提案される多様な実施形態により、複合ビットマップ指示によるＣＳＩ-ＲＳパンクチャパターンを認知するようにする例を示す図である。
【図２５】本発明により提案される多様な実施形態によりＦＤ-ＭＩＭＯシステムで使用されないＣＳＩ-ＲＳを通知する例を示す図である。
【図２６】本発明により提案される多様な実施形態により、ＦＤ-ＭＩＭＯシステムにおいて各ＣＳＩ-ＲＳリソースが一部ＣＳＩ-ＲＳポートインデックスを共有する例を示す図である。
【図２７】本発明により提案される多様な実施形態により、ＦＤ-ＭＩＭＯシステムにおいて各ＣＳＩ-ＲＳリソースが一部ＣＳＩ-ＲＳポートインデックスを共有する他の例を示す図である。
【図２８】本発明により提案される多様な実施形態により複数のＣＳＩ-ＲＳが設定される一つのＣＳＩプロセスの一例を示す図である。
【図２９】本発明により提案される多様な実施形態により、複数のＣＳＩ-ＲＳが設定される一つのＣＳＩプロセスの他の例を示す図である。
【図３０】本発明により提案される多様な実施形態により、ＣＳＩ-ＲＳポートを設定する他の例を示す図である。
【図３１】本発明により提案される多様な実施形態により、チャンネル測定リソース(ＣＭＲ)パターンの一例を示す図である。
【図３２】本発明により提案される多様な実施形態により、リソースインジケータによりＣＭＲパターンが指示される例を示す図である。
【図３３】本発明により提案される多様な実施形態によるＣＳＩ-ＲＳリソースを割り当てるパターンに対する一例を示す図である。
【図３４】本発明により提案される多様な実施形態により、ＣＳＩ-ＲＳリソースを割り当てるパターンに対する他の例を示す図である。
【発明を実施するための形態】
【００２３】
以下、本発明の望ましい実施形態を添付の図面を参照して詳細に説明する。
【００２４】
下記の説明において、本発明に関連した公知の機能又は構成に関する具体的な説明が本発明の要旨を不明にすると判断された場合に、その詳細な説明を省略する。また、後述する用語は、本発明の機能を考慮して定義されたものであって、ユーザー、運用者の意図、又は慣例によって変わることができる。したがって、上記用語は、本明細書の全体内容に基づいて定義されなければならない。
【００２５】
図１は、本発明により提案される多様な実施形態によるＦＤ-ＭＩＭＯシステムを示す。
【００２６】
図１を参照すると、基地局はアンテナセット１００を用いて無線信号を伝送する。このアンテナセット１００を構成する複数の送信アンテナ(例えば、８個以上）は相互に最小距離を維持するように配置される(参照番号１１０)。
【００２７】
基地局は、アンテナセット１００を構成する複数の送信アンテナを利用する高次(high  order)マルチユーザーＭＩＭＯにより複数の端末に無線信号を送信できる。高次ＭＵ-ＭＩＭＯは、複数の基地局送信アンテナを用いて複数の端末に空間的に分離された送信ビームを割り当ててデータを送信する。この高次ＭＵ-ＭＩＭＯは、同一の時間及び周波数リソースを用いてなされることができる。
【００２８】
ＦＤ-ＭＩＭＯシステムにおいて、端末は、チャンネル状況及び干渉のサイズを正確に測定し、これを利用して効果的なチャンネル状態情報を基地局へ伝送しなければならない。基地局は、チャンネル状態情報に基づいて端末に対して適用する伝送モード(ＳＵ-ＭＩＭＯ、ＭＵ-ＭＩＭＯ)、伝送速度、プリコーディングなどを決定できる。ＭＵ-ＭＩＭＯをサポートするために、基地局は、端末からＭＵ-ＭＩＭＯに関するチャンネル状態情報のフィードバックを受信する必要がある。
【００２９】
したがって、本発明により提案される実施形態では、ＦＤ-ＭＩＭＯシステムにおいて基地局が特定端末に対して伝送モードとしてＳＵ-ＭＩＭＯとＭＵ-ＭＩＭＯのうちいずれか一つを選択的に適用できる方案を用意する。
【００３０】
図２は、本発明により提案される多様な実施形態による無線通信システムにおけるアンテナ配列の例を示す。
【００３１】
図２を参照すれば、大規模ＭＩＭＯシステム又はＦＤ-ＭＩＭＯシステムにおけるアンテナセットは、２次元で配列される複数のアンテナ(８個以上)を含むことができる。上記アンテナセットは、例えば、数十個又はそれ以上の送信アンテナを含むことができる。複数の送信アンテナは、一定の距離を維持するように配置される。一定の距離は、例えば、送信される無線信号の波長の長さの半分の倍数に該当する。
【００３２】
基地局の送信装置は、例えば、横軸に配列されるＮＨ個のアンテナと縦軸に配列されるＮＶ個のアンテナを用いて端末へ信号を伝送する。この場合、基地局送信装置は、複数の送信アンテナ別にプリコーディング(precoding）を適用し、これに基づいて複数の端末へ信号を送信できる。
【００３３】
したがって、本発明により提案される実施形態では、大規模ＭＩＭＯシステム又はＦＤ-ＭＩＭＯシステムで全体システムの容量側面で最適の性能を導き出すように基準信号のためのリソースとトラフィックチャンネル伝送のためのリソースとの間で適切な配分を実行する方案が備えられる。
【００３４】
図３は、本発明により提案される多様な実施形態によるＦＤ-ＭＩＭＯシステムにおける無線リソースの一例を示す。
【００３５】
図３を参照すれば、無線リソースは、時間軸と周波数軸により定義される。時間軸は、一つのサブフレームからなる。周波数軸は、一つのリソースブロック(ＲＢ)からなる。一つのサブフレームは１４個のＯＦＤＭシンボルを含み、一つのリソースブロックは１２個のサブキャリアを含むことができる。この場合、無線リソースは、固有周波数及び時間位置を有する１６８個のリソース要素(ＲＥ）で構成される。
【００３６】
無線リソースでは、ＣＲＳ(Cell  specific  RS)、ＤＭＲＳ(Demodulation  Reference  Signal)、ＰＤＳＣＨ(Physical  Downlink  Shared  Channel)、ＣＳＩ-ＲＳ(Channel  Status  Information  Reference  Signal)、その他の制御チャンネル(ＰＨＩＣＨ、ＰＣＦＩＣＨ、ＰＤＣＣＣＨ)などの異なるタイプの信号が伝送され得る。
【００３７】
ＣＲＳは、一つのセルに属するすべての端末のために周期的に伝送される基準信号である。ＣＲＳは、複数の端末が共通に使用できる。ＤＭＲＳは、特定端末のために伝送される基準信号である。ＤＭＲＳは、該当端末にデータを伝送する場合にのみ伝送され得る。ＰＤＳＣＨは、ダウンリンクに伝送されるデータチャンネルであって、データ領域で基準信号が伝送されないＲＥを用いて伝送され得る。ＣＳＩ-ＲＳは、一つのセルに属する端末のために伝送される基準信号であって、チャンネル状態を測定するために利用される。複数のＣＳＩ-ＲＳは、一つのセルで伝送される。その他の制御チャンネル(ＰＨＩＣＨ、ＰＣＦＩＣＨ、ＰＤＣＣＨ）は、端末がＰＤＳＣＨを受信するのに必要な制御情報を提供するか、あるいはアップリンクのデータ送信に対するＨＡＲＱをオペレーティングするためのＡＣＫ/ＮＡＣＫを伝送するために使用され得る。
【００３８】
基地局は、Ａ，Ｂ，Ｃ，Ｄ，Ｅ，Ｆ，Ｇ，Ｈ，Ｉ，Ｊで表示された位置のＲＥのうち一部又は全体でＣＳＩ-ＲＳを伝送し、あるいはミューティングを適用することができる。ＣＳＩ-ＲＳは、伝送するアンテナポート数に従って２個、４個、８個のＲＥで伝送される。
【００３９】
例えば、アンテナポートが２個である場合に特定パターンの半分でＣＳＩ-ＲＳが伝送され、アンテナポートが４個である場合に特定パターンの全体でＣＳＩ-ＲＳが伝送され、アンテナポートが８個である場合に２個のパターンを用いてＣＳＩ-ＲＳが伝送される。
【００４０】
端末は、ＣＳＩ-ＲＳ以外にＣＳＩ-ＩＭ(又はＩＭＲ(Interference  Measurement  Resources）を基地局からの割り当てを受信できる。ＣＳＩ-ＩＭのリソースは、４ポートをサポートするＣＳＩ-ＲＳと同一のリソース構成と位置を有することができる。ＣＳＩ-ＩＭは、一つ以上の基地局からデータを受信する端末が隣接した基地局から干渉を正確に測定するためのリソースである。例えば、基地局はＣＳＩ-ＲＳと２個のＣＳＩ-ＩＭリソースを構成し、一つのＣＳＩ-ＩＭで隣接基地局が常に信号を伝送するようにし、他の一つのＣＳＩ-ＩＭで隣接基地局が常に信号を伝送しないようにして隣接基地局の干渉量を測定できる。
【００４１】
基地局は、ダウンリンクチャンネル状態を測定するために基準信号、すなわちＣＲＳ又はチャンネル状態情報基準信号(ＣＳＩ-ＲＳ）を端末に伝送する。端末は、基地局により伝送されるＣＲＳ又はＣＳＩ-ＲＳを用いて基地局とこの端末との間のチャンネル状態を測定できる。チャンネル状態は、基本的にいくつかの要素が考慮されなければならず、ここで、ダウンリンクでの干渉量が含まれ得る。ダウンリンクでの干渉量は、隣接基地局に属するアンテナにより発生する干渉信号及び熱雑音などが含まれる。ダウンリンクでの干渉量は、端末がダウンリンクのチャンネル状況を判定するのに重要であり得る。
【００４２】
端末は、ダウンリンクのチャンネル状態に関する情報を基地局へフィードバックできる。端末は、例えば、基地局が伝送する基準信号を測定し、この測定により取り出された情報を基地局へフィードバックする。この端末がフィードバックする情報は、ランクインジケータ(ＲＩ)、プリコーダマトリックスインジケータ(ＰＭＩ)、チャンネル品質インジケータ(ＣＱＩ)などを含むことができる。
【００４３】
ＲＩは、端末が現在チャンネル状態で受信する特定階層の個数であり、ＰＭＩは、端末が現在チャンネル状態で好むプリコーディングマトリックスに対するインジケータであり、ＣＱＩは、端末が現在のチャンネル状態で受信できる最大データ伝送レートである。ＣＱＩは、最大データ伝送レートに類似に活用できる信号対干渉及び雑音電力比(ＳＩＮＲ)、最大の誤り訂正符号化率及び変調方式、周波数当たりデータ効率などに代替可能である。
【００４４】
ＲＩ、ＰＭＩ、ＣＱＩは、相互に関連されている。例えば、プリコーディングマトリックスは、ランクごとに異なって定義される。したがって、ＲＩが１の値を有する場合のＰＭＩ値と、ＲＩが２の値を有する場合のＰＭＩ値は、これら値が同一であっても解析が異なるようになる。また、端末がＣＱＩを決定する場合にも基地局に提供したランク値とＰＭＩ値が基地局で適用されたと仮定する。すなわち、端末がＲＩ_Ｘ、ＰＭＩ_Ｙ、ＣＱＩ_Ｚを基地局に提供した場合、ランクがＲＩ_Ｘであり、プリコーディングがＰＭＩ_Ｙである場合、端末がＣＱＩ_Ｚに該当するデータ伝送レートを受信できることを意味する。このように、端末は、ＣＱＩを計算する場合に基地局にどの伝送方式を遂行するかを仮定することによって、該当伝送方式で実際の伝送を遂行する場合に最適化した性能を獲得可能にする。
【００４５】
チャンネル情報の生成及び報告を実行するために大規模アンテナを有する基地局の場合、８個以上のアンテナのチャンネルを測定する基準信号リソースを構成して端末に伝送しなければならない。この場合、使用可能なＣＳＩ-ＲＳリソースは最大４８個のＲＥを使用できるが、現在一つのセル当たり８個までのＣＳＩ-ＲＳを設定することが可能である。したがって、８個以上のＣＳＩ-ＲＳポートに基づいて動作するＦＤ-ＭＩＭＯシステムをサポートするために新たなＣＳＩ-ＲＳ設定方法が必要となる。
【００４６】
図４は、本発明で提案する多様な実施形態のために、ＩＭＲが適用される２個の基地局で伝送する信号を示す。
【００４７】
図４を参照すると、ｅＮＢ  Ａはセル(cell)Ａ内に位置する端末に対してＩＭＲ  Ｃを設定する。ｅＮＢ  ＢはセルＢ内に位置する端末に対してＩＭＲ  Ｊを設定する。すなわち、セルＡ内に位置する端末は、ｅＮＢ  Ａで伝送するＰＤＳＣＨを受信し、このためにｅＮＢ  Ａにチャンネル状態情報を通知しなければならない。
【００４８】
端末は、チャンネル状態情報を生成するために、チャンネルのＥｓ/(Ｉｏ＋Ｎｏ)(信号エネルギー対干渉及び雑音電力比)を測定しなければならない。ＩＭＲは、端末が干渉及び雑音強さを測定可能なようにする。
【００４９】
ｅＮＢ  ＡとｅＮＢ  Ｂが同時に信号を伝送する場合、相互に干渉を発生させる可能性がある。すなわち、ｅＮＢ  Ｂで伝送される信号は、ｅＮＢ  Ａから信号を受信している端末に干渉として作用できる。また、ｅＮＢ  Ａで伝送される信号は、ｅＮＢ  Ｂから信号を受信している端末に干渉として作用できる。
【００５０】
ｅＮＢ  Ａは、セルＡ内に位置した端末がｅＮＢ  Ｂによって発生する干渉を測定するようにＩＭＲ  Ｃを該当端末に設定する。ｅＮＢ  Ａは、ＩＭＲ  Ｃの位置で信号を伝送しない。その結果、端末がＩＭＲ  Ｃで受信する信号は、参照番号４００及び４１０のようにｅＮＢ  Ｂで伝送した信号である。すなわち、端末は、ＩＭＲ  ＣでｅＮＢ  Ｂにより伝送された信号のみを受信するようになり、この信号の受信強さを測定してｅＮＢ  Ｂにより発生する干渉強度を判定可能になる。同様に、ｅＮＢ  Ｂは、セルＢ内に位置した端末がｅＮＢ  Ａにより発生する干渉を測定するようにＩＭＲ  Ｊを該当端末に設定できる。この場合、ｅＮＢ  Ｂは、ＩＭＲ  Ｊの位置で信号を伝送しない。
【００５１】
ＩＭＲを使用する場合、他のｅＮＢ又は伝送位置で発生する干渉の強さを効果的に測定できる。すなわち、複数のセルが共存する多重セル移動通信システム又は分散アンテナシステムにおいてＩＭＲを活用して隣接セルで発生する干渉の強さ又は隣接伝送位置で発生する干渉の強さを効果的に測定できる。また、ＩＭＲを用いてＭＵ-ＭＩＭＯ干渉の強さも測定できる。
【００５２】
上記に基づいて提案される実施形態では、大規模ＭＩＭＯシステムまたはＦＤ-ＭＩＭＯシステムにおいて端末が基地局へダウンリンクに対応するチャンネル状態情報を報告することによって、基地局による効率的なリソース割り当てなどが実行可能にする方案を用意する。
【００５３】
このための一実施形態によると、大規模ＭＩＭＯシステム又はＦＤ-ＭＩＭＯシステムで特定端末に対してＳＵ-ＭＩＭＯとＭＵ-ＭＩＭＯを選択的に適用できる方案を用意する。
【００５４】
このための一実施形態によれば、大規模ＭＩＭＯシステム又はＦＤ-ＭＩＭＯシステムにおいて、全体システムの容量側面で最適の性能を導き出すように基準信号のためのリソースとトラフィックチャンネル伝送のためのリソースとの間で適切な配分を遂行する方案が備えられる。
【００５５】
図５は、本発明により提案される多様な実施形態による多重アクセス方式をサポートする無線通信システムの一例を示す。
【００５６】
図５を参照すれば、基地局５１０は、複数のセルを管理し、複数のセルに分布する端末(端末＃１乃至端末＃Ｎ)５２０-１，５２０-Ｎとの信号送受信を実行する。基地局５１０は、ＯＦＤＭＡ(Orthogonal  Frequency  Division  Multiple  Access)のような多重搬送波(multi-carrier)を利用する多重アクセス方式に基づいて信号を送信又は受信することができる。
【００５７】
基地局５１０と端末＃１乃至端末＃Ｎ５２０-１，５２０-Ｎは、多重アクセス方式をサポートするために、複数の送信又は受信アンテナを含む。基地局５１０は、ＮＴｘ個の送信アンテナを具備し、端末＃１乃至端末＃Ｎ  ５２０-１，５２０-Ｎは、各々ＮＲx１個又はＮＲｘ２個の受信アンテナを具備すると仮定する。
【００５８】
基地局５１０は、設定情報及びチャンネル推定のための基準信号を端末＃１乃至端末＃Ｎ  ５２０-１，５２０-Ｎへ伝送する。設定情報は、ＣＳＩ-ＲＳに関する設定情報、ＲＲＣ情報の全体または一部を含むことができる。
【００５９】
基地局５１０は、設定情報により定められたタイミングで端末からフィードバック情報を受信する。基地局５１０は、少なくとも受信したフィードバック情報に基づいて伝送方法を決定できる。この場合、基地局は、決定した伝送方法に基づいて端末と信号を送信又は受信することができる。
【００６０】
端末＃１乃至端末＃Ｎ  ５２０-１，５２０-Ｎは、基地局５１０から設定情報を受信できる。端末＃１乃至端末＃Ｎ  ５２０-１，５２０-Ｎは、基地局５１０から受信した基準信号(ＣＳＩ-ＲＳ等）に基づいてチャンネル推定を実行できる。端末＃１乃至端末＃Ｎ  ５２０-１，５２０-Ｎは、チャンネル推定による情報に基づいてフィードバック情報を構成し、この設定情報により定められたタイミングで基地局５１０へ構成したフィードバック情報を伝送する。この場合、端末＃１乃至端末＃Ｎ  ５２０-１，５２０-Ｎは、基地局５１０が少なくともフィードバック情報に基づいて決定した伝送方法により基地局５１０と信号を送信又は受信することができる。
【００６１】
図６は、本発明により提案される多様な実施形態による多重アクセス方式をサポートする無線通信システムにおけるチャンネル推定手順を示す。
【００６２】
図６を参照すれば、ステップ６１０において、基地局５１０は、設定情報及びチャンネル推定のための基準信号を端末５２０に伝送し、端末５２０は、基地局５１０により伝送された設定情報及びチャンネル推定のための基準信号を受信できる。設定情報は、ＣＳＩ-ＲＳに関する設定情報、ＲＲＣ情報の全体又は一部を含むことができる。
【００６３】
一実施形態によると、基地局５１０は、効果的なデータ送受信を実行するためのチャンネル状態情報を生成し、この生成したチャンネル状態情報を設定情報に含めて端末５２０へ提供できる。
【００６４】
ステップ６２０において、端末５２０は、チャンネル推定による結果に基づいて備えられたフィードバック情報を基地局５１０へ伝送し、基地局５１０は、端末５２０により伝送されたフィードバック情報を受信する。フィードバック情報は、ＲＩ、ＰＭＩ、ｓＣＱＩとｗＣＱＩのうち少なくとも一つのＣＱＩ以外にＳＵ/ＭＵインジケータＳＭＩをさらに含むことができる。ＳＭＩは、ダウンリンクに対するチャンネル推定を通じて、現在チャンネル状況を考慮する場合、好む多重伝送モードとしてＳＵ-ＭＩＭＯモードとＭＵ-ＭＩＭＯモードのうちいずれか一つを指示する情報である。
【００６５】
図７は、本発明により提案される多様な実施形態による基地局の構成を示す。
【００６６】
図７を参照すると、基地局は、制御部７１０と通信部７２０を含む。制御部７１０は、基地局を構成するすべての構成の状態及び動作を制御できる。通信部７２０は、制御部７１０の制御により相手デバイス(例えば、端末)との通信を実行する。
【００６７】
制御部７１０は、例えば、端末のチャンネル推定のためのＣＳＩ-ＲＳリソースを端末に割り当てる。ＣＳＩ-ＲＳリソースによるチャンネル推定は、水平及び垂直成分に対するチャンネル推定をすべて含むことができる。制御部７１０は、フィードバックリソース及びフィードバックタイミングを端末に割り当てることができる。制御部７１０は、特定端末に対して割り当てられたフィードバックタイミングで特定端末により報告されるフィードバック情報を受信し、受信したフィードバック情報を解析できる。このために、制御部７１０は、リソース割り当て部７１２を内部に具備できる。
【００６８】
リソース割り当て部７１２は、端末が垂直及び水平成分チャンネルを各々推定するように、ＣＳＩ-ＲＳをそれぞれのリソースに割り当て、該当リソースを用いてＣＳＩ-ＲＳを通信部７２０を通じて相手デバイスに伝送できる。リソース割り当て部７１２は、複数の端末からのフィードバック情報が衝突しないように、各端末へのフィードバック設定及びフィードバックタイミングを割り当て、該当タイミングで設定されたフィードバック情報を受信できる。リソース割り当て部７１２は、受信したフィードバック情報の解析も遂行することができる。
【００６９】
図７は、リソース割り当て部７１２が制御部７１０内で別途のブロックで構成されることを示すが、必ずしもこれに限定されるものではない。例えば、制御部７１０がリソース割り当て部７１２の代わりにその機能を実行してもよく、この場合、リソース割り当て部７１２は、別途のブロックで構成される必要はない。また、リソース割り当て部７１２は、制御部７１０の内部でなく基地局を構成するための別途の構成で具備されてもよい。
【００７０】
一実施形態によれば、制御部７１０は、各々の端末に報告されるフィードバック情報に基づいて該当端末に対してＳＵ-ＭＩＭＯ伝送が適合するか、あるいはＭＵ-ＭＩＭＯ伝送が適合するかを判定できる。制御部７１０は、その判定結果に基づいて該当端末に対してＳＵ-ＭＩＭＯ伝送又はＭＵ-ＭＩＭＯ伝送をサポートできる。
【００７１】
より具体的に説明すれば、制御部７１０は、少なくとも２個の基準信号の各々に対する設定情報を端末に伝送するように通信部７２０を制御する。制御部７１０は、少なくとも２個の基準信号を測定できる。制御部７１０は、フィードバック設定情報を端末に伝送するように通信部７２０を制御する。フィードバック設定情報は、端末が少なくとも２個の基準信号を測定した結果によるフィードバック情報を生成するように構成され得る。
【００７２】
この場合、制御部７１０は、少なくとも２個の基準信号を端末に伝送し、フィードバック設定情報によるフィードバックタイミングで端末から伝送されるフィードバック情報を受信するように通信部７２０を制御することができる。
【００７３】
上記のように、高次(high  order)ＭＵ-ＭＩＭＯ伝送がより頻繁に発生するＦＤ-ＭＩＭＯシステムにおいて、基地局は、端末からチャンネル品質インジケータ(ＣＱＩ)のフィードバックを受信することができる。ＣＱＩは、ＳＵ-ＭＩＭＯ伝送が適合するか、あるいはＭＵ-ＭＩＭＯ伝送が適合するかを通知できる。この場合、端末がＭＵ-ＭＩＭＯに関するチャンネル情報を不要にフィードバックすることを防止し、基地局がチャンネル環境に適合するようにＳＵ-ＭＩＭＯとＭＵ-ＭＩＭＯのうちいずれか一つを動作させるようにする。
【００７４】
他の実施形態によると、制御部７１０は、ＦＤ-ＭＩＭＯ伝送に基づいて高効率データ送信及び受信を実行するための全般的な動作を実行できる。制御部７１０は、例えば、複数のＣＳＩ-ＲＳに関する構成情報を端末に通知することで、この通知した構成情報により端末がフィードバック情報を生成可能にする。
【００７５】
より具体的に説明すれば、制御部７１０は、通信部７２０を制御して少なくとも一つ以上の基準信号の各々に対する設定情報を端末に伝送する。制御部７１０は、少なくとも一つ以上の基準信号を生成する。制御部７１０は、通信部７２０を制御して端末が測定結果によるフィードバック情報を生成するためのフィードバック設定情報を端末に伝送できる。
【００７６】
制御部７１０は、少なくとも一つ以上の基準信号を、通信部７２０を制御して端末に伝送し、フィードバック設定情報によるフィードバックタイミングで通信部７２０を通じて端末から伝送されるフィードバック情報を受信できる。
【００７７】
制御部７１０は、例えば、端末にフィードバック設定情報を伝送し、端末にＣＳＩ-ＲＳを伝送し、フィードバック設定情報及びＣＳＩ-ＲＳに基づいて生成されたフィードバック情報を端末から受信できる。この場合、制御部７１０は、基地局の各アンテナポートグループに対応するフィードバック設定情報及びアンテナポートグループ間の関係に基づいた追加フィードバック設定情報を端末に伝送するために通信部７２０を制御する。
【００７８】
制御部７１０は、例えば、フィードバック情報に基づいてビームフォーミングされたＣＳＩ-ＲＳを端末に伝送し、ＣＳＩ-ＲＳに基づいて生成されたフィードバック情報を端末から受信できる。
【００７９】
上記した実施形態によれば、基地局は、自身がオペレーティングするＴＸＲＵの数又は他の通信状況に合わせて多様な数のＣＳＩ-ＲＳを設定できる。この場合、端末が基地局の設定に合わせて効果的にチャンネル状態情報を生成させることによって、ＣＱＩのミスマッチを減少させ、報告されたチャンネル状態情報に対する基地局での追加的な加工を低減させ得る。
【００８０】
通信部７２０は、端末にデータ、基準信号、及びフィードバック情報を送受信する。通信部７２０は、例えば、制御部７１０の制御下に割り当てられたリソースを通じてＣＳＩ-ＲＳを端末へ伝送し、端末からフィードバックされるチャンネル情報を受信することができる。
【００８１】
図８は、本発明により提案される多様な実施形態による端末の構成を示す。
【００８２】
図８を参照すれば、端末は、制御部８１０と通信部８２０を含む。制御部８１０は、端末を構成するすべての構成の状態及び動作を制御する。通信部８２０は、制御部８１０の制御により相手デバイス(例えば、基地局)との通信を実行できる。
【００８３】
端末は、遂行される機能に従って多様な構成をさらに含むことができる。端末は、例えば、現在状態を表示する表示部、ユーザーから機能実行のための信号が入力される入力部、及びデータを格納する格納部をさらに具備できる。
【００８４】
制御部８１０は、例えば、基地局から割り当てられた情報によってフィードバック情報を生成する。制御部８１０は、生成したチャンネル情報を基地局から割り当てられたタイミング情報によりフィードバックするように通信部８２０を制御する。このために、制御部８１０は、チャンネル推定部８１２を内部に含む。
【００８５】
チャンネル推定部８１２は、基地局から受信されるＣＳＩ-ＲＳ及びフィードバック割り当て情報を通じて必要なフィードバック情報をは判定し、それによって受信されたＣＳＩ-ＲＳを用いてチャンネルを推定する。
【００８６】
図面では、チャンネル推定部８１２が制御部８１０内で別途のブロックで構成されることを示すが、必ずしもこれに限定されるものではない。例えば、制御部８１０がチャンネル推定部８１２の代わりにその機能を遂行してもよく、この場合、チャンネル推定部８１２は、別のブロックで構成される必要はない。また、チャンネル推定部８１２は、制御部８１０の内部でなく基地局を構成するための別の構成で具備されてもよい。
【００８７】
一実施形態によると、制御部８１０は、少なくとも一つ以上の基準信号リソースの各々に関する設定情報又は少なくとも２個の基準信号の各々に対する設定情報を基地局から受信するように通信部８２０を制御することができる。制御部８１０は、フィードバック設定情報を基地局から受信するように通信部８２０を制御する。フィードバック設定情報は、端末が基地局により伝送される少なくとも２個の基準信号を測定し、測定した結果によるフィードバック情報を生成する場合考慮され得る。
【００８８】
制御部８１０は、通信部８２０を通じて受信される少なくとも一つ以上の基準信号又は少なくとも２個の基準信号の各々を測定し、測定した結果とフィードバック設定情報に基づいてフィードバック情報を生成する。制御部８１０は、生成されたフィードバック情報をフィードバック設定情報によるフィードバックタイミングで基地局へ伝送するように通信部８２０を制御できる。
【００８９】
制御部８１０は、例えば基地局からＣＳＩ-ＲＳを受信し、受信したＣＳＩ-ＲＳに基づいてフィードバック情報を生成する。制御部８１０は、生成したフィードバック情報を基地局に伝送する。この場合、制御部８１０は、基地局のアンテナポートグループごとにプリコーディングマトリックスを各々選択し、基地局のアンテナポートグループ間の関係に基づいて一つの追加プリコーディングマトリックスをさらに選択できる。
【００９０】
制御部８１０は、例えば、基地局からＣＳＩ-ＲＳを受信し、受信したＣＳＩ-ＲＳに基づいてフィードバック情報を生成できる。制御部８１０は、生成したフィードバック情報を基地局に伝送する。この場合、制御部８１０は、基地局のすべてのアンテナポートグループに対する一つのプリコーディングマトリックスを選択できる。
【００９１】
制御部８１０は、例えば、基地局からフィードバック設定情報を受信し、基地局からＣＳＩ-ＲＳを受信し、受信したフィードバック設定情報及び受信したＣＳＩ-ＲＳに基づいてフィードバック情報を生成する。制御部８１０は、生成したフィードバック情報を基地局に伝送する。この場合、制御部８１０は、基地局の各アンテナポートグループに対応するフィードバック設定情報及びアンテナポートグループ間の関係に基づいた追加的フィードバック設定情報を受信することができる。
【００９２】
通信部８２０は、多様な通信方式のうち少なくとも一つの通信方式に基づき、相手デバイス(例えば、基地局)とデータを含む多様な形態の信号を送信又は受信する。通信部８２０は、相手デバイスとの通信のために、制御部８１０の制御を受けることができる。
【００９３】
通信部８２０は、例えば、制御部８１０の制御下にＳＵ-ＭＩＭＯとＭＵ-ＭＩＭＯの送信動作を効果的に実行するためのチャンネル品質インジケータ情報を相手デバイス、すなわち基地局に伝送できる。通信部８２０は、制御部８１０の制御下にフィードバック情報を基地局に伝送する。
【００９４】
図９は、本発明により提案される多様な実施形態により基地局で遂行する制御フローを示すフローチャートである。
【００９５】
図９を参照すると、基地局は、ステップ９１０において、設定情報を端末へ伝送する。基地局は、ステップ９２０において、設定情報により所定のタイミングで端末からフィードバック情報を受信する。基地局は、ステップ９３０で、少なくとも受信したフィードバック情報に基づいて伝送方法を決定できる。この場合、基地局は、決定した伝送方法に基づいて端末と信号を送信又は受信することができる。
【００９６】
一実施形態によれば、基地局は、基地局設定情報を構成し、構成した基地局設定情報を端末に伝送する。基地局設定情報は、ＣＳＩ-ＲＳに関する設定情報、ＲＲＣ情報の全体又は一部を含む。基地局設定情報の一例を下記の＜表１＞のように定義できる。
【００９７】
【表１】
2018512027.tif 000003
【００９８】
上記＜表１＞を参照すれば、基地局設定情報は、ＣＳＩ-ＲＳ設定情報(CSI-RS  setting)を含むことができる。ＣＳＩ-ＲＳ設定情報は、端末がＣＳＩ-ＲＳに対するポートの個数、各ＣＳＩ-ＲＳが伝送されるタイミング及びリソース位置、シーケンス情報、及びＰＣ情報などの全体又は一部を確認するために使用される。例えば、基地局は、ＰＣ値を端末に与えることができる。この場合、端末は、基地局が与えられたＰＣ値をＰＤＳＣＨに対して正確なＣＱＩを計算するのに利用できる。
【００９９】
基地局設定情報は、複数のチャンネル情報に対応する情報を含むことができる。基地局設定情報は、例えば、該当フィードバックが２個のＣＳＩ-ＲＳ(ＣＳＩ-ＲＳ-１，ＣＳＩ-ＲＳ-２)に対するものである場合、２個のＣＳＩ-ＲＳ(ＣＳＩ-ＲＳ-１，ＣＳＩ-ＲＳ-２)に関する第１のチャンネル情報に対応する情報(first  channel  information(SU-MIMO):ＣＳＩ-ＲＳ-１)と、第２のチャンネル情報に対応する情報(second  channel  information(MU-MIMO):ＣＳＩ-ＲＳ-２)を含むことができる。
【０１００】
第１のチャンネル情報と第２のチャンネル情報は、各々ＳＵ-ＭＩＭＯとＭＵ-ＭＩＭＯに該当するＣＳＩ-ＲＳを示すと仮定する。一方、第１のチャンネル情報と第２のチャンネル情報は、各々ＭＵ-ＭＩＭＯとＳＵ-ＭＩＭＯに該当するＣＳＩ-ＲＳを示すと仮定することもできる。
【０１０１】
基地局設定情報は、フィードバックモード(reporting  or  feedback  mode)情報を含むことができる。フィードバックモード情報は、端末により生成されて基地局に報告するフィードバック情報のタイプを示す情報であり得る。すなわち、フィードバックモード情報は、端末がＣＳＩ-ＲＳ-１とＣＳＩ-ＲＳ-２を用いてＳＵ-ＭＩＭＯとＭＵ-ＭＩＭＯに対する最適のランク、プリコーディングマトリックスなどを定義する２個のＰＭＩ  ｉ１とｉ２及びＣＱＩを生成して基地局に報告するように通知するものである。加えて、フィードバックモード情報は、ｉ２とＣＱＩが各々サブバンド別情報として報告されなければならないか、あるいは広帯域情報として報告されなければならないかを通知する内容も含むことができる。
【０１０２】
基地局設定情報は、ＰＭＩコードブック情報を含むことができる。ＰＭＩコードブック情報は、コードブックのうち現在チャンネル状況で使用可能なプリコーディングマトリックスのセットに関する情報を意味する。ＰＭＩコードブック情報がフィードバックのためのＲＲＣ情報に含まれない場合、各フィードバックのために予め定義されたコードブック内の可能なすべてのプリコーディングマトリックスが使用されることを端末が認識できる。
【０１０３】
基地局設定情報のうち、その他の情報(etc.)は、周期的フィードバックのためのフィードバック周期及びオフセット情報又は干渉測定リソース情報などを含む。
【０１０４】
基地局は、端末に伝送した基地局設定情報により定義された該当フィードバックタイミングで端末からフィードバック情報を受信し、端末とのチャンネル状態を判定できる。基地局は、受信したフィードバック情報に基づいて伝送方法を決定できる。
【０１０５】
他の実施形態によれば、基地局は、チャンネルを測定するためのＣＳＩ-ＲＳに関する設定情報を端末へ伝送できる。設定情報は、各ＣＳＩ-ＲＳに対するポートの個数、各ＣＳＩ-ＲＳが伝送されるタイミング及びリソース位置、そして伝送電力情報のうち少なくとも一つを含む。基地局は、少なくとも一つ以上のＣＳＩ-ＲＳに基づいたフィードバック設定(feedback  configuration)情報を端末に伝送できる。
【０１０６】
基地局は、ＣＳＩ-ＲＳを端末に伝送する。この場合、端末は、アンテナポート別にチャンネルを推定し、これに基づいて仮想のリソースに対する追加的なチャンネルを推定できる。端末はフィードバックを決定し、これに該当するＰＭＩ、ＲＩ、ＣＱＩを生成して基地局に報告できる。基地局は、定められたタイミングに端末からフィードバック情報を受信し、受信したフィードバック情報を端末とのチャンネル状態を判定するのに活用できる。
【０１０７】
図１０は、本発明で提案される多様な実施形態により端末で実行する制御フローを示す。
【０１０８】
図１０を参照すれば、端末は、ステップ１０１０において、基地局から設定情報を受信する。端末は、ステップ１０２０において、基地局から受信した基準信号(ＣＳＩ-ＲＳ等）に基づいてチャンネル推定を実行する。端末は、ステップ１０３０において、チャンネル推定による情報に基づいてフィードバック情報を構成し、設定情報により決定されたタイミングで基地局に上記構成したフィードバック情報を伝送できる。この場合、端末は、基地局が少なくともフィードバック情報に基づいて決定した伝送方法により基地局と信号を送信又は受信することができる。
【０１０９】
一実施形態によれば、端末は、基地局から基地局設定情報を受信し、受信した基地局設定情報に基づいてチャンネル推定を実行することができる。基地局設定情報は、＜表１＞のように構成され得る。
【０１１０】
この場合、端末は基地局設定情報に含まれたＣＳＩ-ＲＳ設定情報に基づいてＣＳＩ-ＲＳに対するポートの個数、各ＣＳＩ-ＲＳが伝送されるタイミング及びリソース位置、シーケンス情報、及びＰＣ情報などの全体又は一部を確認できる。端末は、ＰＣ情報(３ＧＰＰ  ＬＴＥ標準ＴＳ.３６.２１３の７.２.５に定義されたＰＣ値)をＰＤＳＣＨに対する正確なＣＱＩを計算するために利用できる。
【０１１１】
端末は、基地局設定情報に含まれたフィードバックモード(reporting  or  feedback  mode)情報により基地局に報告するフィードバック情報のタイプを決定する。すなわち、端末は、フィードバックモード情報に基づいてＣＳＩ-ＲＳ-１とＣＳＩ-ＲＳ-２を用いてＳＵ-ＭＩＭＯとＭＵ-ＭＩＭＯに対する最適のランク、プリコーディングマトリックスを定義する２個のＰＭＩ  ｉ１とｉ２及びＣＱＩを生成して基地局に報告できる。端末は、フィードバックモード情報に基づいてｉ２とＣＱＩの各々をサブバンド別情報として報告するか、あるいは広帯域情報として報告するかを決定する。
【０１１２】
端末は、基地局設定情報に含まれたＰＭＩコードブック情報が現在チャンネル状況で使用可能なプリコーディングマトリックスのセットに関する情報を獲得できる。ＰＭＩコードブック情報がフィードバックのためのＲＲＣ情報に含まれない場合、端末は、所定のコードブック内のすべてのプリコーディングマトリックスをフィードバックのために使用することができる。
【０１１３】
端末は、基地局設定情報からその他の情報(etc.)として周期的フィードバックのためのフィードバック周期、オフセット情報、または干渉測定リソース情報を獲得できる。
【０１１４】
端末は、チャンネル推定による結果に基づいてＣＱＩを生成する。端末は、例えば、ＳＵ-ＭＩＭＯベースのＣＱＩ(ＳＵ-ＣＱＩ)とＭＵ-ＭＩＭＯベースのＣＱＩ(ＭＵ-ＣＱＩ)を生成できる。
【０１１５】
端末は、ＳＵ-ＣＱＩとＭＵ-ＣＱＩとの差を比較して設定された基準値(γ)より大きいか又は等しい場合にはＳＵ-ＭＩＭＯ伝送を好むと判定し、設定された基準値より小さい場合にはＭＵ-ＭＩＭＯ伝送を好むと判定する。そうでなく、ＳＵ-ＣＱＩとＭＵ-ＣＱＩとの差が設定された基準値と同一である場合、ＭＵ-ＭＩＭＯ伝送を好むと判定することもある。
【０１１６】
ランクが２以上である場合では、各コードワードに対して計算されたＣＱＩの和を用いてＳＵ-ＣＱＩとＭＵ-ＣＱＩとの差を比較することも可能である。
【０１１７】
端末は、以前に確認したチャンネル情報に基づいてＳＵ/ＭＵインジケータ情報とフィードバック情報ランク、ＰＭＩ、及びＣＱＩを生成できる。端末は、基地局のフィードバック設定に従って、該当フィードバックタイミングにフィードバック情報を基地局に伝送することによって、２次元配列を考慮したチャンネルフィードバックの生成及び報告プロセスを終了する。
【０１１８】
ＳＵ-ＣＱＩとＭＵ-ＣＱＩを生成し、これに基づいてフィードバック情報を構成することに関する具体的な説明について後述する。
【０１１９】
他の実施形態によると、端末は、ＣＳＩ-ＲＳ構成の設定情報を基地局に受信する。端末は、受信した設定情報に基づき、各ＣＳＩ-ＲＳに対するポートの個数、各ＣＳＩ-ＲＳが伝送されるタイミング及びリソース位置、そして伝送電力情報のうち少なくとも一つを確認できる。端末は、少なくとも一つ以上のＣＳＩ-ＲＳに基づいた一つのフィードバック設定情報を構成する。
【０１２０】
端末は、ＣＳＩ-ＲＳを受信すると、これに基づいて基地局に具備される複数の送信アンテナと端末に具備される複数の受信アンテナとの間のチャンネルを推定できる。端末は、推定したチャンネル及びＣＳＩ-ＲＳ間に追加された仮想のチャンネルに基づいて、受信したフィードバック設定と所定のコードブックを用いてランク、ＰＭＩ、及びＣＱＩによるフィードバック情報を生成できる。端末は、基地局のフィードバック設定により定められたフィードバックタイミングでフィードバック情報を基地局へ伝送することで、２次元配列を考慮したチャンネルフィードバックの生成及び報告プロセスを終了する。
【０１２１】
本発明で提案しようとする実施形態により、基地局が端末に対する多重伝送モードとしてＳＵ-ＭＩＭＯモードとＭＵ-ＭＩＭＯモードを選択的に適用するための方案について具体的に説明する。
【０１２２】
このために、端末は、ＳＵ-ＭＩＭＯモードとＭＵ-ＭＩＭＯモードの各々に対応するＣＱＩを推定しなければならない。以下、ＳＵ-ＭＩＭＯモードに対応するＣＱＩを“ＳＵ-ＣＱＩ”と称し、ＭＵ-ＭＩＭＯモードに対応するＣＱＩを“ＭＵ-ＣＱＩ”と称する。
【０１２３】
端末は、推定したＳＵ-ＣＱＩとＭＵ-ＣＱＩに基づいて自身に適合した多重伝送モードを決定し、決定した多重伝送モードを指示する識別情報を基地局にフィードバックする。このために、多重伝送モードを指示する識別情報を新たに定義し、新たに定義した識別情報を基地局にフィードバックする方案を用意すべきである。
【０１２４】
図１１は、本発明で提案される多様な実施形態により、ＦＤ-ＭＩＭＯシステムにおいて端末が多重伝送モードを指示する識別情報を決定する制御フローを示す。
【０１２５】
図１１を参照すると、端末は、ステップ１１００において、ＳＵ-ＣＱＩを生成する。例えば、端末は、ＳＵ-ＭＩＭＯモードでの最適ＰＭＩに基づいて信号対干渉及び雑音比(Signal  to  Interference  plus  Noise  Ratio：ＳＩＮＲ)ｐＳＵを測定し、測定したＳＩＮＲを用いてＳＵ-ＣＱＩ(ＣＱＩＳＵ)を生成できる。
下記の＜式１＞は、ｋ番目の端末が測定した
【数１】
2018512027.tif 000004
を
【数２】
2018512027.tif 000005
に変換する例を定義する。
【０１２６】
【数３】
2018512027.tif 000006
上記＜式１＞により定義された
【数４】
2018512027.tif 000007
はＭＵ-ＭＩＭＯによる干渉(マルチユーザー干渉）を考慮せずに測定すると仮定する。
【０１２７】
端末は、ステップ１１０２で、ＭＵ-ＣＱＩを生成できる。例えば、端末は、ＭＵ-ＭＩＭＯモードでの最適ＰＭＩに基づいてＳＩＮＲ(ｐＭＵ)を測定し、測定したＳＩＮＲを用いてＭＵ-ＣＱＩ(ＣＱＩＭＵ)を生成できる。
下記の＜式２＞は、ｋ番目の端末が測定した
【数５】
2018512027.tif 000008
を
【数６】
2018512027.tif 000009
に変換する例を定義する。
【０１２８】
【数７】
2018512027.tif 000010
上記＜式２＞により定義される
【数８】
2018512027.tif 000011
はマルチユーザー干渉を考慮して測定すると仮定する。
【０１２９】
例えば、端末は、マルチユーザー干渉を考慮したＳＩＮＲを測定する場合、２台の端末が同時にスケジューリングされる環境を仮定し、この仮定に基づいてＳＩＮＲを誘導することができる。しかしながら、＜式２＞によりＭＵ-ＣＱＩを獲得する場合、同時にスケジューリングされる端末の個数に制限されるものではない。複数の端末が同時にスケジューリングされた場合、そのうち最も好むＭＵ-ＣＱＩが選択され得る。
【０１３０】
端末は、ＭＵ-ＣＱＩを生成するために、マルチユーザー干渉を測定する必要がある。一つの例として、端末は、ＩＭＲを利用してマルチユーザー干渉を測定できる。しかしながら、端末は、マルチユーザー干渉を測定するために、必ずしもＩＭＲを活用しなければならないものではない。
【０１３１】
一実施形態によれば、端末は、基地局により設定されたＩＭＲに対応する一つ又は複数のＲＥから受信される信号の強さを測定し、測定した信号強さによりマルチユーザー干渉の強さを判定できる。ＩＭＲは、基地局が無線リソース制御(Radio  Resource  Control：ＲＲＣ)による配置に基づいて、特定端末に対して設定できる。ＩＭＲ設定に関しては、上記のように図３と図４を参照して説明した。
【０１３２】
下記の＜表２＞は、任意の端末に対するＲＲＣフィールドを示す。
【０１３３】
【表２】
2018512027.tif 000012
【０１３４】
＜表２＞に示すＲＲＣフィールドは、任意の端末に対して基地局が設定したＣＳＩ-ｐｒｏｃｅｓｓフィールド(ＣＳＩ-ＰｒｏｃｅｓｓＩｄ-ｒ１１フィールド)及びＩＭＲ設定フィールド(ＣＳＩ-ＩＭ-ＣｏｎｆｉｇＩｄ-ｒ１１フィールド)を含むことができる。
【０１３５】
＜表２＞で、ＣＳＩ-ｐｒｏｃｅｓｓフィールド(ＣＳＩ-ＰｒｏｃｅｓｓＩｄ-ｒ１１フィールド)は基地局が任意の端末に割り当てられたＣＳＩ-ｐｒｏｃｅｓｓを指示する情報が記録され、ＩＭＲ設定フィールド(ＣＳＩ-ＩＭ-ＣｏｎｆｉｇＩｄ-ｒ１１フィールド)は基地局が任意の端末のために設定したＩＭＲリソースに関する情報が記録され得る。
【０１３６】
下記の＜表３＞は、ＩＭＲ設定フィールド(ＣＳＩ-ＩＭ-Ｃｏｎｆｉｇ  ｆｉｅｌｄ）の構成例を示す。
【０１３７】
【表３】
2018512027.tif 000013
【０１３８】
上記＜表３＞において、ＩＭＲ設定フィールドを構成するリソース構成は、例えば、周波数分割システムの場合０〜９、時分割システムの場合０〜９と２０〜２５との間の値を有するパラメータにより定義される。このとき、リソース構成を定義する値は、サブフレーム内でＩＭＲの位置(Ａ乃至Ｊ)を示すことができる。上記Ｓｕｂｆｒａｍｅ  ｃｏｎｆｉｇは、０〜１５４の値を有するパラメータであって、各々の値に従ってＩＭＲの周期とサブフレームオフセットを設定できる。
【０１３９】
上記したように、基地局は、ＩＭＲが周期的に位置するように設定する。例えば、基地局は、伝送モード１-９である場合、一つのＣＳＩ-ｐｒｏｃｅｓｓに基づいて一つ又は複数のＩＭＲを用いて１個又は３個のマルチユーザー干渉(ＭＵ-ＭＩＭＯinterference)の仮定を測定できる。基地局は、伝送モード１０の場合、複数のＣＳＩ-ｐｒｏｃｅｓｓに基づいて一つ又は複数のＩＭＲを用いて１個又は３個のマルチユーザー干渉を測定できる。
【０１４０】
上記した場合、端末は、一つのＩＭＲを用いて一つの干渉状況を測定できる。したがって、基地局は、端末の伝送モードに従って各々但し１個又は３個の干渉状況に対するチャンネル状態情報の報告を受信できる。
【０１４１】
例えば、基地局は、異なるランク制限を有する２個のＣＳＩ-ｐｒｏｃｅｓｓを設定できる。基地局は、各ＩＭＲリソースを設定してマルチユーザー干渉を測定できる。この場合、一つのＣＳＩ-ｐｒｏｃｅｓｓは、ランクを１又は２に制限し、他のＣＳＩ-ｐｒｏｃｅｓｓはランクに制限されない。上記ランクの制限を設定した一つのＣＳＩ-ｐｒｏｃｅｓｓは、ＭＵ-ＭＩＭＯに関するチャンネル状態情報(ＭＵ-ＣＱＩ)をフィードバックするために使用できる。
【０１４２】
しかしながら、ＩＭＲではマルチユーザー干渉以外にセル間干渉のように他のタイプの干渉も測定できる。したがって、マルチユーザー干渉のみを正確に測定するために、特定の時間-周波数区間(window）を用いて、マルチユーザー干渉のみを測定するようにＩＭＲ使用に対する追加的な制限が必要であることもある。
【０１４３】
上記した説明では、単一ランクの伝送時を仮定してＳＵ-ＣＱＩ及びＭＵ-ＣＱＩを生成すると仮定した。しかしながら、多重ランクの伝送時に対してもＳＵ-ＣＱＩ及びＭＵ-ＣＱＩを生成できる。
【０１４４】
一実施形態によれば、端末は、ランクが２以上である場合、各コードワードに対して計算されたＣＱＩの和に基づいてＳＵ-ＣＱＩ及びＭＵ-ＣＱＩを生成できる。
下記の＜式３＞は、多重ランクの伝送時に、ｋ番目の端末が
【数９】
2018512027.tif 000014
と
【数１０】
2018512027.tif 000015
を生成する例を定義する。
【０１４５】
【数１１】
2018512027.tif 000016
上記＜式３＞によると、
【数１２】
2018512027.tif 000017
は各コードワードに対して計算されたＳＵ-ＣＱＩの和により定義され、
【数１３】
2018512027.tif 000018
は各コードワードに対して計算されたＭＵ-ＣＱＩの和により定義される。
【０１４６】
端末は、ステップ１１０４で、以前に生成したＳＵ-ＣＱＩとＭＵ-ＣＱＩを用いて現在チャンネル環境にＳＵ伝送が適合するか、あるいはＭＵ伝送が適合するかを判定できる。
【０１４７】
例えば、下記の＜式４＞は、ＳＵ-ＣＱＩとＭＵ-ＣＱＩを利用してＳＵ伝送が適合するか、あるいはＭＵ伝送が適合するかを判定する一例を定義する。
【０１４８】
【数１４】
2018512027.tif 000019
【０１４９】
上記＜式４＞において、γは、多重伝送モードを判定するために予め定められたオフセット値である。
＜式４＞によると、端末は、ＳＵ-ＣＱＩとＭＵ-ＣＱＩとの差
【数１５】
2018512027.tif 000020
と所定のオフセット値γとを比較する。端末は、ＳＵ-ＣＱＩとＭＵ-ＣＱＩとの差が所定のオフセット値より大きいかあるいは等しいかを判定できる。ＳＵ-ＣＱＩとＭＵ-ＣＱＩとの差が所定のオフセット値より大きいかあるいは等しいことは、ＭＵ-ＣＱＩが非常に低い状況を意味する。ＭＵ-ＣＱＩが非常に低いということは、現在チャンネル環境がＭＵ-ＭＩＭＯモードによる伝送に適しないことを意味する。
【０１５０】
したがって、端末は、ＳＵ-ＣＱＩとＭＵ-ＣＱＩとの差が所定のオフセット値より大きいかあるいは等しい場合、現在チャンネル環境でＳＵ伝送(ＳＵ-ＭＩＭＯモード）が適合すると判定する。端末は、ＳＵ-ＣＱＩとＭＵ-ＣＱＩとの差が所定のオフセット値より小さい場合には、現在チャンネル環境でＭＵ伝送(ＭＵ-ＭＩＭＯモード）が適合すると判定する。
【０１５１】
端末は、ＳＵ伝送(ＳＵ-ＭＩＭＯモード）が適合すると判定する場合、ステップ１１０６において、多重伝送モードを指示する識別情報をＳＵ伝送(ＳＵ-ＭＩＭＯモード）を示すインジケータとして設定できる。端末は、ＭＵ伝送(ＭＵ-ＭＩＭＯモード）が適合すると判定する場合、ステップ１１０８において、多重伝送モードを指示する識別情報をＭＵ伝送(ＭＵ-ＭＩＭＯモード）を示すインジケータとして設定できる。
【０１５２】
例えば、ＭＵ-ＣＱＩが２台の端末が同時にスケジューリングされた環境を仮定して計算される場合、伝送電力の観点でＭＵ-ＣＱＩがＳＵ-ＣＱＩに比べて３ｄＢの低い値を有するようになる。この場合、γは２より大きい値に設定されるので、ＣＱＩテーブルでＣＱＩインデックス間隔がおよそ２ｄＢ間隔を有するように設計され得る。
【０１５３】
上記＜式４＞でのオフセット値の設定は、ネットワークオペレーティングに従って変わり得る。＜式４＞において、ＣＱＩは、３ＧＰＰ  ＬＴＥ標準ＴＳ.３６.２１３で定義するＣＱＩインデックスを基準として定義できる。しかし、ＣＱＩは、最大データ伝送レートに類似に活用されるＳＩＮＲ、最大の誤り訂正符号化率及び変調方式、周波数当たりデータ効率に代替されることもある。＜式４＞では、ＳＵ-ＣＱＩからＭＵ-ＣＱＩを引くことで、その大きさを比較した。しかしながら、ＳＵ-ＣＱＩとＭＵ-ＣＱＩとの差を比較する方法は、＜式４＞での定義のみに限定されるものではない。
【０１５４】
下記ではＳＵ-ＣＱＩとＭＵ-ＣＱＩに基づいて選択された多重伝送モード(ＳＵ-ＭＩＭＯモードとＭＵ-ＭＩＭＯモードのうちいずれか一つ)を指示するＳＵ/ＭＵインジケータ(ＳＭＩ)表記及びフィードバック方法について説明する。
【０１５５】
一実施形態によると、ＳＵ/ＭＵインジケータは、１ビットを用いて表記する。例えば、上記＜式４＞で定義している条件を満たす場合、端末は、ＳＵ-ＭＩＭＯモードによる伝送が適合することを示すために、ＳＵ/ＭＵインジケータを０に設定できる。上記＜式４＞で定義した条件を満たしない場合、端末は、ＭＵ-ＭＩＭＯモードによる伝送が適合することを表すために、ＳＵ/ＭＵインジケータを１に設定できる。上記の提案と反対に、ＳＵ/ＭＵインジケータを設定することも可能である。すなわち、ＳＵ-ＭＩＭＯモードを好むＳＵ/ＭＵインジケータとして１を使用し、ＭＵ-ＭＩＭＯモードを好むＳＵ/ＭＵインジケータとして０を使用することができる。
【０１５６】
一般に、端末は、周期的にフィードバックする情報のタイプ種類を考慮して以下に定義された４つのフィードバックモード(又は報告モード)のうちいずれか一つのフィードバックモードに基づいてフィードバックを実行できる。
【０１５７】
１．報告モード１-０：ＲＩ、広帯域ＣＱＩ(ｗＣＱＩ)
２．報告モード１-１：ＲＩ、ｗＣＱＩ、ＰＭＩ
３．報告モード２-０：ＲＩ、ｗＣＱＩ、狭帯域(subband)ＣＱＩ(ｓＣＱＩ)
４．報告モード２-１：ＲＩ、ｗＣＱＩ、ｓＣＱＩ、ＰＭＩ
【０１５８】
４つのフィードバックモードに関する各情報のフィードバックタイミングは、上位信号を通じて伝送されるＮpd、ＮOFFSET，CQI、ＭRI、ＮOFFSET,RIなどの値により決定され得る。フィードバックモード１-０でｗＣＱＩの伝送周期はＮpdサブフレームであり、ＮOFFSET,CQIのサブフレームオフセット値を有し、フィードバックタイミングが決定される。また、ＲＩの伝送周期はＮpd・ＭRIサブフレームであり、オフセットはＮOFFSET,CQI＋ＮOFFSET,RIである。
【０１５９】
本発明で提案される多様な実施形態によると、ＳＵ/ＭＵインジケータをフィードバックする方法は、ＣＱＩフィードバック方法により下記のように区分され得る。
【０１６０】
１．広帯域ＣＱＩ(ｗＣＱＩ)を基準としてでフィードバックする場合
２．狭帯域ＣＱＩ(ｓＣＱＩ)を基準としてフィードバックする場合
３．ｗＣＱＩとｓＣＱＩに別途にフィードバックする場合
【０１６１】
上記したような区分を考慮する場合、ＳＵ/ＭＵインジケータをフィードバックする方法について説明するに先立って、ｗＣＱＩを基準としてフィードバックするシナリオとｓＣＱＩを基準としてフィードバックするシナリオに関して説明する。
【０１６２】
上記した条件を考慮すれば、ｗＣＱＩを基準としてＳＵ/ＭＵインジケータをフィードバックするシナリオは、定義された４つのフィードバックモードに対して全部適用でき、ｓＣＱＩを基準としてＳＵ/ＭＵインジケータをフィードバックするシナリオは、定義された４つのフィードバックモードのうちフィードバックモード２-０と２-１に対して適用できる。ＳＵ/ＭＵインジケータをｗＣＱＩとｓＣＱＩに別にフィードバックするシナリオは、定義された４つのフィードバックモードのうちフィードバックモード２-０と２-１に対して適用され得る。
【０１６３】
図１２は、本発明により提案される多様な実施形態により、ＦＤ-ＭＩＭＯシステムにおいて端末がｗＣＱＩを基準としてＳＵ/ＭＵインジケータをフィードバックするシナリオを示す。
【０１６４】
図１２を参照すると、端末は、ｗＣＱＩがフィードバックされる度に１ビットのＳＵ/ＭＵインジケータ(ＳＭＩ)を基地局に報告できる。ＳＵ/ＭＵインジケータ(ＳＭＩ)がＳＵ-ＭＩＭＯを好むことを示すと、ｓＣＱＩもＳＵ-ＭＩＭＯモードを好むと仮定できる。ＳＵ/ＭＵインジケータ(ＳＭＩ)がＭＵ-ＭＩＭＯを好むことを示す場合、ｓＣＱＩもＭＵ-ＭＩＭＯモードを好むと仮定できる。
【０１６５】
一実施形態によると、Ｎｐｄ＝２、ＮOFFSET,CQI＝１、ＭRI＝２、ＮOFFSET,RI＝-１である場合を仮定して４つのフィードバックモードのうちフィードバックモード１-０と１-１に対して適用される。この場合、フィードバックタイミングは、ＲＩ及びｗＣＱＩに対して定義できる。このとき、タイミング(０乃至２０）は、サブフレームインデックスを表す。
【０１６６】
フィードバックモード１-１は、フィードバックモード１-０と同一のフィードバックタイミングを有する。すなわち、フィードバックモード１-０とフィードバックモード１-１は、ＳＵ/ＭＵインジケータ(ＳＭＩ)を伝送するタイミングであるｗＣＱＩを伝送するタイミングが同一である。但し、フィードバックモード１-１に対して定義されたフィードバックタイミングは１個、２個のアンテナポート又は一部４個のアンテナポート状況に対してｗＣＱＩを伝送するタイミングにＰＭＩが共に伝送されるという点でフィードバックモード１-０に対して定義されたフィードバックタイミングと区別できる。
【０１６７】
図１２では、ｗＣＱＩを基準としてＳＵ/ＭＵインジケータをフィードバックするシナリオをフィードバックモード１-０と１-１に対して適用しているが、フィードバックモード２-０又は２-１にも適用可能である。
【０１６８】
これに関してより具体的に説明すれば、フィードバックモード２-０で、ｓＣＱＩに対するフィードバック周期はＮpdサブフレームであり、オフセット値はＮOFFSET,CQIであり、ｗＣＱＩに対するフィードバック周期はＨ・Ｎpdサブフレームであり、オフセット値はＮOFFSET,RIである。すなわち、フィードバックモード２-０ではオフセット値が同一であるが、フィードバック周期は異なることがわかる。ここで、ＨはＪ・Ｋ＋１と定義できる。この場合、Ｋは上位信号で配信され、Ｊはシステム帯域幅に従って決定される値である。例えば、１０ＭＨｚシステムに対するＪは３として定義され得る。その結果、ｗＣＱＩは、Ｈ回のｓＣＱＩの伝送がなされた後、ｓＣＱＩの代わりに一回ずつ伝送されるので、ＳＵ/ＭＵインジケータもＨ回のｓＣＱＩの伝送ごとに一回ずつｗＣＱＩと共に伝送される。この場合、ＲＩの周期はＭRI・Ｈ・Ｎpdサブフレームであり、オフセットはＮOFFSET,CQI＋ＮOFFSET,RIである。
【０１６９】
図１３は、本発明により提案される多様な実施形態により、ＦＤ-ＭＩＭＯシステムで端末がＳＵ/ＭＵインジケータをｓＣＱＩを基準としてフィードバックするシナリオを示す。
【０１７０】
図１３を参照すると、端末はｓＣＱＩがフィードバックされる度に１ビットのＳＵ/ＭＵインジケータ(ＳＭＩ)を基地局に報告できる。このとき、ｗＣＱＩは常にＳＵ-ＭＩＭＯモードであると仮定される。
【０１７１】
一実施形態によれば、Ｎpd＝２，ＭRI＝２，Ｊ＝３(１０ＭＨｚ)，Ｋ＝１，ＮOFFSET,CQI＝１，ＮOFFSET,RI＝-１である場合を仮定する。この場合、フィードバックタイミングは、ＲＩ，ｓＣＱＩ、ｗＣＱＩに対して定義され得る。
【０１７２】
フィードバックモード２-１は、フィードバックモード２-０同一のフィードバックタイミングを有する。すなわち、フィードバックモード２-０とフィードバックモード２-１は、ＳＵ/ＭＵインジケータ(ＳＭＩ)を伝送するタイミングであるｓＣＱＩを伝送するタイミングが同一である。但し、フィードバックモード２-１に対して定義されたフィードバックタイミングは、１個、２個のアンテナポート又は一部４個のアンテナポート状況に対してｗＣＱＩを伝送するタイミングにＰＭＩが共に伝送されるという点でフィードバックモード２-０に対して定義されたフィードバックタイミングと区別できる。
【０１７３】
図１３において、ＣＳＩ-ＲＳアンテナポートの個数が１、２、又は４である場合、一部にｓＣＱＩに基づいてＳＵ/ＭＵインジケータをフィードバックするシナリオについて説明する。しかしながら、他の一部４個のアンテナポート又は８個のアンテナポートに対するＣＳＩ-ＲＳが割り当てられる場合にもｓＣＱＩに基づいてＳＵ/ＭＵインジケータをフィードバックするシナリオを適用できる。
【０１７４】
これについてより具体的に説明すると、他の一部４個のケアンテナポート又は８個のアンテナポートに対するＣＳＩ-ＲＳが割り当てられた端末は、２つのＰＭＩ情報をフィードバックできる。
【０１７５】
図１４は、本発明で提案される多様な実施形態により、ＦＤ-ＭＩＭＯシステムにおいて端末がｗＣＱＩとｓＣＱＩの各々でＳＵ/ＭＵインジケータをフィードバックするシナリオを示す。
【０１７６】
図１４を参照すると、ｗＣＱＩが伝送される時点で第１のＳＩＭＩをフィードバックし、ｓＣＱＩが伝送される時点で第２のＳＭＩをフィードバックできる。
【０１７７】
例えば、端末が他の一部４個のアンテナポート又は８個のアンテナポートを有するＣＳＩ-ＲＳの割り当てを受ける場合、フィードバックモード１-１は、２つのサブモードに分けられる。
【０１７８】
この場合、第１のサブモードではＲＩが第１のＰＭＩ情報と共に伝送され、第２のＰＭＩ情報はｗＣＱＩと共に伝送され得る。ここで、ｗＣＱＩと第２のＰＭＩに対するフィードバック周期及びオフセットはＮpdとＮOFFSET,CQIとして定義され、ＲＩと第１のＰＭＩ情報のフィードバック周期及びオフセット値は各々ＭRI・ＮpdとＮOFFSET,CQI＋ＮOFFSET,RIとして定義され得る。
【０１７９】
端末から基地局に第１のＰＭＩ(ｉ１)と第２のＰＭＩ(ｉ２)が両方ともに報告されると、端末と基地局は、相互に共有しているプリコーディングマトリックスのセット(codebook)内で該第１のＰＭＩと第２のＰＭＩとの組み合わせに対応するプリコーディングマトリックスＷ(ｉ１，ｉ２)を端末が好むプリコーディングマトリックスと確認できる。
【０１８０】
他の方案として、第１のＰＭＩに対応するプリコーディングマトリックスをＷ１とし、第２のＰＭＩに対応するプリコーディングマトリックスをＷ２とする場合、端末と基地局は、端末が好むプリコーディングマトリックスが２行列の積であるＷ１Ｗ２として決定されるという情報を共有できる。
【０１８１】
８個のＣＳＩ-ＲＳアンテナポートに対するフィードバックモードが２-１である場合、フィードバック情報にはプリコーディングタイプインジケータ(ＰＴＩ)情報が追加され得る。このとき、ＰＴＩはＲＩと共にフィードバックされ、その周期はＭRI・Ｈ・Ｎpdサブフレームであり、オフセットはＮOFFSET,CQI＋ＮOFFSET,RIとして定義される。
【０１８２】
具体的に、ＰＴＩが０である場合、第１のＰＭＩ、第２のＰＭＩ、及びｗＣＱＩがすべてフィードバックされ得る。このとき、ｗＣＱＩと第２のＰＭＩは同一のタイミングで共に伝送され、その周期はＮpdであり、オフセットはＮOFFSET,CQIとして与えられる。第１のＰＭＩの周期はＨ’・Ｎpdであり、オフセットはＮOFFSET,CQIである。ここで、Ｈ’は上位信号で伝送される。
【０１８３】
一方、ＰＴＩが１である場合にはｗＣＱＩが広帯域の第２のＰＭＩと共に伝送され、ｓＣＱＩは別途のタイミングで狭帯域の第２のＰＭＩと共にフィードバックされる。このとき、第１のＰＭＩは伝送されず、ＰＴＩが０である場合に最も最近報告された第１のＰＭＩを仮定して第２のＰＭＩとＣＱＩが計算された後に報告される。この場合、ＰＴＩとＲＩの周期及びオフセットはＰＴＩが０である場合と同一である。ｓＣＱＩの周期はＮpdサブフレームとして定義され、オフセットはＮOFFSET,CQIとして定義される。ｗＣＱＩと第２のＰＭＩはＨ・Ｎpdの周期とＮのオフセットを有してフィードバックできる。この場合、Ｈは、ＣＳＩ-ＲＳアンテナポート個数が２である場合のように定義できる。
【０１８４】
また、一実施形態によれば、ＳＵ/ＭＵインジケータをフィードバックするシナリオは、端末の非周期的フィードバックに対しても適用できる。基地局が特定端末の非周期的フィードバック情報を獲得したい場合、基地局は、該当端末のアップリンクデータスケジューリングのためのダウンリンク制御情報(ＤＣＩ)に含まれた非周期的フィードバックインジケータを特定の非周期的フィードバックを実行するように設定して該当端末のアップリンクデータスケジューリングを実行できる。
【０１８５】
該当端末は、非周期的フィードバックを実行するように設定されたインジケータをｎ番目のサブフレームで受信する場合、ｎ＋ｋ番目のサブフレームでのデータ伝送時に非周期的フィードバック情報を含めてアップリンク伝送を遂行する。ここで、ｋはＦＤＤ(Frequency  Division  Duplexing)で４であり得る。
【０１８６】
下記の＜表４＞は、ＴＤＤ(Time  Division  Duplexing)で各サブフレームに対応するｋを定義する。
【０１８７】
【表４】
2018512027.tif 000021
【０１８８】
＜表４＞は、ＴＤＤ  ＵＬ/ＤＬ配置で各サブフレーム番号ｎに対するｋ値を定義する。
【０１８９】
上記非周期的フィードバックが設定された場合にフィードバック情報は、周期的フィードバックの場合のようにＲＩ、ＰＭＩ、ＣＱＩ、ＳＭＩを含むことができる。ＲＩとＰＭＩは、フィードバック設定に従ってフィードバックされないこともある。ＣＱＩは、ｗＣＱＩとｓＣＱＩを両方ともに含んでもよく、あるいはｗＣＱＩのみを含んでもよい。
【０１９０】
以下の実施形態では、ＳＵ/ＭＵインジケータ(ＳＭＩ）の活用方法について説明する。ＳＭＩを用いて基地局がＳＵ-ＭＩＭＯ又はＭＵ-ＭＩＭＯを動作させる方法はＣＳＩの定義により下記のように区分される。
【０１９１】
１．現在ＬＴＥ/ＬＴＥ-Ａ標準で定義するＳＵ-ＭＩＭＯに関するＣＳＩ(ＲＩ、ＰＭＩ、ＣＱＩ)情報に基づいて動作する場合
２．以後ＬＴＥ標準でＭＵ-ＭＩＭＯに関するＣＳＩが定義される場合
【０１９２】
まず、ＣＳＩ(ＲＩ、ＰＭＩ、ＣＱＩ)情報に基づいて動作する場合について説明すれば、端末は、上記＜式１＞、＜式２＞、又は＜式３＞を用いてＳＵ-ＣＱＩとＭＵ-ＣＱＩを測定できる。その結果によって、端末は、＜式４＞を用いて現在チャンネル状態にＳＵ-ＭＩＭＯ伝送が適合するか、あるいはＭＵ-ＭＩＭＯ伝送が適合するかを判定する。
【０１９３】
端末は、１ビットを用いてＳＭＩを基地局にフィードバックできる。このとき、共にフィードバックされるＲＩ、ＰＭＩ、ＣＱＩはＳＵ-ＭＩＭＯ伝送を仮定し、フィードバックされるＣＳＩである。したがって、１ビットのＳＭＩがＳＵ-ＭＩＭＯ伝送を好む場合に基地局は共にフィードバックされたＲＩ、ＰＭＩ、ＣＱＩ情報をその通りに利用できる。１ビットのＳＭＩがＭＵ-ＭＩＭＯ伝送を好む場合、基地局は、ＳＵ-ＭＩＭＯ伝送を仮定してフィードバックされるＲＩ、ＰＭＩ、ＣＱＩ情報に基づいてＭＵ-ＭＩＭＯに関するＲＩ、ＰＭＩ、ＣＱＩを再生成できる。
【０１９４】
第２に、ＭＵ-ＭＩＭＯに関するＣＳＩフィードバックが定義される場合、端末は、ＳＭＩにより実際のＭＵ-ＣＳＩ情報を基地局にフィードバックできる。この場合、ＳＵ-ＣＳＩは、常にフィードバックし、ＭＵ-ＣＳＩはＳＭＩに従って追加にフィードバックすることも考慮することがある。それだけでなく、ＳＭＩがＭＵ-ＭＩＭＯを好む場合、ＳＵ-ＣＳＩはフィードバックせず、ＭＵ-ＣＳＩのみをフィードバックすることを考慮することもある。
【０１９５】
本発明で提案しようとする実施形態により、ＬＴＥ-ＡベースのＦＤ-ＭＩＭＯシステムで効果的なデータ送受信を実行するためのチャンネル状態情報を生成し、その生成したチャンネル状態情報を基地局と端末が共有する方案を用意しようとする。
【０１９６】
このために、基地局は、複数のＣＳＩ-ＲＳに関する構成情報(以下、“基準信号構成情報”と称する）を効率的なデータ送受信が実行されるように生成し、生成した基準信号構成情報を端末に通知する動作及び手順を用意することである。この場合、基地局が１(又は２)，４，８に制限されるＣＳＩ-ＲＳ構成方法を改良して多様な数のＣＳＩ-ＲＳを構成可能なようにする方案を提案する。
【０１９７】
例えば、基地局は、８個以上のアンテナによるチャンネルを測定する基準信号リソースを構成して端末に提供する。この場合、基準信号リソースを構成する基準信号の数は、基地局に備えられたアンテナの配置(configuration)及び測定方法により異なって適用され得る。
【０１９８】
これに対応する端末は、基地局により通知される基準信号構成情報に基づいてダウンリンクのチャンネル状態を測定し、測定したダウンリンクのチャンネル状態に対応するフィードバック情報を生成し、生成したフィードバック情報を基地局に伝送する動作及び手順を用意する。
【０１９９】
図１５は、本発明で提案される多様な実施形態による大規模多重アンテナシステムにおいてアンテナ構成及び測定のためのＣＳＩ-ＲＳの構成例を示す。
【０２００】
図１５を参照すれば、ＣＳＩ-ＲＳの構成は、全体測定方式と部分測定方式に区分される。全体測定方式は、データ伝送に使用されるすべてのＴＸＲＵに対するＣＳＩ-ＲＳポートを推定する方式であって、部分測定方式はデータ伝送に使用されるＴＸＲＵのうち一部に対するＣＳＩ-ＲＳポートを推定する方式である。
【０２０１】
全体測定方式は、参照番号１５１０に示すように、水平方向のポート数ＮＨ及び垂直方向のポート数ＮＶ、及び編波アンテナの可否によって多様な数のＣＳＩ-ＲＳが必要である。
【０２０２】
部分測定方式は、参照番号１５２０に示すように、全体ＴＸＲＵのうち一部のみがＣＳＩ-ＲＳポートを有することができる。基地局は、ＣＳＩ-ＲＳポートを有するＴＸＲＵのみでＣＳＩ_ＲＳを伝送できる。したがって、ＣＳＩ-ＲＳポートを有する第１のＴＸＲＵ１５３０は、ＣＳＩ-ＲＳを通じてチャンネル推定がなされるＴＸＲＵであり、ＣＳＩ-ＲＵポートを有しない第２のＴＸＲＵ１５４０はＣＳＩ-ＲＳを通じてチャンネル推定がなされないＴＸＲＵである。
【０２０３】
参照番号１５２２は、総５個のＣＳＩ-ＲＳを用いて部分推定を遂行する場合、横方向３個のＣＳＩ-ＲＳポートを通じて伝送されるＣＳＩ-ＲＳは、端末が水平方向のチャンネル方向情報を判断するのに使用され、縦方向３個のＣＳＩ-ＲＳポートを通じて伝送されるＣＳＩ-ＲＳは、端末が垂直方向のチャンネル方向情報を判定するのに使用される。
【０２０４】
参照番号１５２４は、アレイの規模が大きくてクロスポール(cross-pol)アンテナを使用する場合、部分推定を遂行しても多くの数のＣＳＩ-ＲＳが必要とされることを示す。
【０２０５】
参照番号１５２０で示すＴＸＲＵ割り当てパターンは、部分測定のためにＣＳＩ-ＲＳポートをパンクチャリングした例に該当するだけであり、その他の多様なパンクチャパターンが適用されることはもちろんである。部分推定方式は、全体推定方式に比べて相対的にチャンネル推定誤差が大きくなるが、ＣＳＩ-ＲＳリソースを節約できるという長所がある。
【０２０６】
上記したように、現在システムでは、基地局当たり最大８個ケまでのＣＳＩ-ＲＳを設定することが可能であるので、８個以上のＣＳＩ-ＲＳの設定が要求されるＦＤ-ＭＩＭＯシステムをサポートするためにはＣＳＩ-ＲＳの構成方法が新たに用意される必要がある。
【０２０７】
一実施形態によれば、８個以上のＣＳＩ-ＲＳの設定が要求されるＦＤ-ＭＩＭＯシステムにおいて複数のＣＳＩ-ＲＳを構成するための方案として、複数のＣＳＩ-ｐｒｏｃｅｓｓを利用する方案と一つのＣＳＩ-ｐｒｏｃｅｓｓを利用する方案を実現することが可能である。複数のＣＳＩ-ｐｒｏｃｅｓｓを利用する方案は、サポートされるＣＳＩ-ＲＳの個数を制限する複数のＣＳＩ-ＲＳ構成の各々によりＣＳＩ-ｐｒｏｃｅｓｓを実行することを提案する。一つのＣＳＩ-ｐｒｏｃｅｓｓを利用する方案は、サポートするＣＳＩ-ＲＳの個数を制限する複数のＣＳＩ-ＲＳ構成を多重化して一つのＣＳＩ-ｐｒｏｃｅｓｓを実行することを提案する。
【０２０８】
図１６は、本発明によりで提案される実施形態によるＦＤ-ＭＩＭＯシステムで複数のＣＳＩ-ＲＳ構成のための複数のＣＳＩ-ｐｒｏｃｅｓｓを設定する例を示す。
【０２０９】
図１６を参照すると、基地局は、各々が最大８個までのＣＳＩ-ＲＳをサポートする複数のＣＳＩプロセス１６１０，１６２０，１６３０を設定できる。この場合、端末は、複数のＣＳＩプロセス１６１０，１６２０，１６３０を通じて、複数のＣＳＩ-ＲＳポートに対するチャンネル推定を実行することができる。複数のＣＳＩプロセス１６１０，１６２０，１６３０の各々はＣＳＩ-ＲＳ配置を構成するステップ(CSI-RS  configuration  ＃１、＃２、乃至＃Ｎ)１６１２，１６２２，１６３２と、フィードバック情報を構成するステップ(feedback  configuration  ＃１、＃２、乃至＃Ｎ)１６１４，１６２４，１６３４を含むことができる。
【０２１０】
複数のＣＳＩプロセス１６１０，１６２０，１６３０を各々構成するフィードバック情報を構成するステップ(feedback  configuration  ＃１、＃２、乃至＃Ｎ)１６１４，１６２４，１６３４でのＲＩ、ＰＭＩ、及びＣＱＩは所定の約束により相互に関連されている。したがって、基地局は、複数のＣＳＩプロセス１６１０，１６２０，１６３０の各々に対応して獲得したフィードバック情報ＲＩ、ＰＭＩ、及びＣＱＩに基づいて一つの最終フィードバック情報の復元(reconstruction）を実行できる(１６４０)。基地局によるフィードバック情報の復元は、複数のＣＳＩプロセス１６１０，１６２０，１６３０により獲得した複数のＲＩと複数のＰＭＩからプリコーディングマトリックスを決定し、複数のＣＳＩプロセス１６１０，１６２０，１６３０により獲得した複数のＣＱＩからＭＣＳを決定できる。
【０２１１】
例えば、第１のＣＳＩプロセス１６１０が水平方向に関するチャンネル情報を示し、第２のＣＳＩプロセス１６２が垂直方向に関するチャンネル情報を示すと仮定する。この場合、基地局は、第１のＣＳＩプロセス１６１０を通じて報告された第１のＰＭＩと第２のＣＳＩプロセス１６２０を通じて報告された第２のＰＭＩをクロネッカー積(Kronecker  product)して全体チャンネルに対するプリコーディングマトリックスとして決定できる。結合(joint)ＣＱＩは、第１のＣＳＩプロセス１６１０を通じて報告された第１のＣＱＩと第２のＣＳＩプロセス１６２０を通じて報告された第２のＣＱＩとの積として使用することが可能である。
【０２１２】
上記した提案によると、ＦＤ-ＭＩＭＯシステムのために、複数のＣＳＩプロセス１６１０，１６２０，１６３０の各々でのＣＳＩ-ＲＳパターンは新たに設計する必要がない。但し、複数のＣＳＩプロセス１６１０，１６２０，１６３０の各々にＣＱＩが一定規則よって分かれて報告されるか、あるいは新たに結合ＣＱＩを定義する必要がある。
【０２１３】
図１７は、本発明により提案される実施形態によるＦＤ-ＭＩＭＯシステムにおいて複数のＣＳＩ-ＲＳ構成のための一つのＣＳＩ-ｐｒｏｃｅｓｓを設定する例を示す。
【０２１４】
図１７を参照すると、基地局は、８個以上に該当する複数のＣＳＩ-ＲＳポートが含まれるように一つのＣＳＩプロセスを設定できる。この場合、端末は、一つのＣＳＩプロセスを通じて、８個以上に該当する複数のＣＳＩ-ＲＳポートに対するチャンネル推定を実行する。一つのＣＳＩプロセスは、ＣＳＩ-ＲＳ配置を構成するステップ(new  CSI-RS  configuration)１７１０と、フィードバック情報を構成するステップ(new  feedback  configuration)１７２０、及びフィードバック情報を復元するステップ(CSI  reconstruction)１７３０を有することができる。
【０２１５】
ＣＳＩ-ＲＳ配置を構成するステップ(New  CSI-RS  configuration)１７１０で基地局は、各ポートのＲＥ位置を直接通知し、あるいはポート構成パターンを通知し、あるいは既存のＣＳＩ-ＲＳグループに関連した情報を通知するなど多様な方法によりＣＳＩ-ＲＳポート構成情報を生成し、生成したＣＳＩ-ＲＳポート構成情報を端末に伝送できる。
【０２１６】
フィードバック情報を構成するステップ１７２０で、端末は、基地局から伝送されたＣＳＩ-ＲＳポート構成情報と所定のフィードバック構成情報に基づいてＲＩ、ＰＭＩ、ＣＱＩなどフィードバック情報を生成できる。このとき、チャンネルのランク及び方向は、所定の規則に従って一つ又は数個のＲＩ及びＰＭＩで報告できる。チャンネルの品質も複数のＣＱＩに分かれて報告できる。
【０２１７】
上記した提案によれば、複数のＣＳＩ-ＲＳが一つのフィードバック情報の構成に直接関連されているため、結合ＣＱＩを新たに定義しなくても一つのＣＱＩでチャンネル品質を報告することが可能である。しかしながら、フィードバック情報を復元するステップ１７３０で必ずしも単一ＣＱＩのみを使用するのではなく、多重ＣＱＩを使用してもよい。
【０２１８】
上記した提案によれば、ＦＤ-ＭＩＭＯシステムのために、新たなＣＱＩを定義する必要なしに既存のＣＱＩをそのまま使用できるが、新たなＣＳＩ-ＲＳパターンや新たなＣＳＩ-ＲＳ構成方法をデザインすることが必要であることもある。
【０２１９】
以下の説明では、以前に提案された一つのＣＳＩ-ｐｒｏｃｅｓｓを設定する方案のために、具体的なＣＳＩ-ＲＳ構成方法及びそれによる端末でのチャンネル情報生成方法とチャンネル情報報告方法に対して多様な実施形態を提案する。
【０２２０】
一実施形態によると、基地局は、任意の端末のために割り当てられたＣＳＩ-ＲＳリソースの開始位置及び/又は終了位置を任意の端末に直接通知することができる。
【０２２１】
より具体的に説明すれば、基地局は、所定のテーブルを利用してＣＳＩ-ＲＳリソースの開始位置及び/又は終了位置を端末に報告することが可能である。
【０２２２】
下記の＜表５＞は、ＣＳＩ-ＲＳリソースの開始位置及び/又は終了位置を端末に報告するために、予め定義されたテーブルの例を示す。
【０２２３】
【表５】
2018512027.tif 000022
【０２２４】
上記＜表５＞で定義する(ｋ’，ｌ’)で、ｋ’は、ＣＳＩ-ＲＳ配置によるＣＳＩ-ＲＳリソースの開始時点を定義するサブキャリアを指示するインデックスであり、ｌ’は、ＣＳＩ-ＲＳ配置によるＣＳＩ-ＲＳリソースの開始時点を定義するシンボル位置を指示するインデックスである。
【０２２５】
＜表５＞のような所定のテーブルに基づき、基地局は、任意の端末のために割り当てられたＣＳＩ-ＲＳリソースの開始位置及び/又は終了位置を任意の端末に通知できる。他の例として、基地局は、任意の端末のために割り当てられたＣＳＩ-ＲＳリソースの開始位置と割り当てられたＣＳＩ-ＲＳリソースのサイズを任意の端末に通知できる。それによって、基地局は、任意の端末に多様な場合のＣＳＩ-ＲＳリソース構成に対する通知を実行することができる。
【０２２６】
＜表５＞を利用する場合、割り当てられたＣＳＩ-ＲＳリソースの開始位置から１又は２のＣＳＩ-ＲＳのためのＣＳＩ-ＲＳ構成に対して、昇順又は降順にＣＳＩ-ＲＳポートインデックスが割り当てられる。
【０２２７】
図１８は、本発明により提案される多様な実施形態によるＦＤ-ＭＩＭＯシステムでＣＳＩ-ＲＳの構成に対する一例を示す。
【０２２８】
図１８を参照すると、ＣＳＩ-ＲＳポート数が１６個であり、＜ＣＳＩ-ＲＳ  ｃｏｎｆｉｇｕｒａｔｉｏｎ＝０、(ｋ’＝９，ｌ’＝５)，ｎｍｏｄ２＝０＞が開始点に設定される場合、ＣＳＩ-ＲＳ構成に対する昇順にＣＳＩ-ＲＳポートインデックスを割り当てる例を示す。
【０２２９】
参照番号１８１０は、割り当てられたＣＳＩ-ＲＳリソースの開始位置を指示し、参照番号１８２０は、設定により計算される割り当てられたＣＳＩ-ＲＳリソースの終了位置を指示する。参照番号１８２０は、参照番号１８１０のように端末に直接報告される。
【０２３０】
一実施形態によれば、基地局は、任意の端末のために割り当てられたＣＳＩ-ＲＳリソースを組み合わせにより任意の端末に通知することができる。この組み合わせは、例えば、一つのＣＳＩプロセスに含まれる複数のＣＳＩ-ＲＳ構成と一つのＣＳＩ-ＲＳ構成に対応するアンテナポート個数の組み合わせであり得る。この組み合わせは、任意の端末がダウンリンクチャンネル状態を測定するためのアンテナポートを定義することができる。
【０２３１】
これについて具体的に説明すれば、基地局は、多様な数のＣＳＩ-ＲＳポートを設定するために、複数のレガシーＣＳＩ-ＲＳ構成を組み合わせることができる。基地局は、一つのＣＳＩプロセスで複数のＣＳＩ-ＲＳ構成情報を端末に提供する場合、一つのＣＳＩプロセスを通じて提供される数個のＣＳＩ-ＲＳ構成情報をリンクしてチャンネル情報を生成することを指示できる。
【０２３２】
図１９は、本発明により提案される多様な実施形態により、一つのＣＳＩプロセスに複数のＣＳＩ-ＲＳ構成に関連するための設定例を示す。
【０２３３】
図１９を参照すると、基地局は、ＣＳＩ-ＲＳ設定１９１０を構成するａｎｔｅｎｎａＰｏｒｔｓＣｏｕｎｔ-ｒ１３フィールドに多様な数のＣＳＩ-ＲＳポートを指定する情報を記録することが可能である。ａｎｔｅｎｎａＰｏｒｔｓＣｏｕｎｔ-ｒ１３フィールドに記録された多様な数のＣＳＩ-ＲＳポートの各々に対応する正確な位置情報は、複数のレガシーＣＳＩ-ＲＳ構成１９２０により定義できる。
【０２３４】
この場合、ａｎｔｅｎｎａＰｏｒｔｓＣｏｕｎｔ-ｒ１３フィールドに記録された全体ＣＳＩ-ＲＳポートの数は、複数のレガシーＣＳＩ-ＲＳ構成１９２０の各々を構成するａｎｔｅｎｎａＰｏｒｔｓＣｏｕｎｔ-ｒ１０フィールドに記録されたＣＳＩ-ＲＳポート個数の和となり得る。ここで、ＣＳＩ-ＲＳ-Ｓｅｔ-Ｃｏｎｆｉｇ-ｒ１３フィールドとＣＳＩ-ＲＳ-Ｃｏｎｆｉｇ-ｒ１０フィールドのような用語は、説明の便宜のために命名されたもので、実際の適用時に状況に合わせて別の表現で置き換えられることはもちろんである。
【０２３５】
図２０は、本発明により提案される多様な実施形態より複数のＣＳＩ-ＲＳリソース位置を用いてＣＳＩを生成する例を示す。
【０２３６】
図２０を参照すれば、端末が＜ＮCSI＝４，ｒｅｓｏｕｒｃｅＣｏｎｆｉｇ＝０＞、＜ＮCSI＝８，ｒｅｓｏｕｒｃｅＣｏｎｆｉｇ＝３＞、 ＜ＮCSI＝８，ｒｅｓｏｕｒｃｅＣｏｎｆｉｇ＝４＞のように３個のＣＳＩ-ＲＳが設定された場合、複数のＣＳＩ-ＲＳリソース位置を使用してＣＳＩを生成できる。
【０２３７】
＜表５＞に示すリソース位置を使用する場合、端末は、指定されたリソース２０１０，２０２０，２０３０に含まれた２０個のＣＳＩ-ＲＳポートに対するチャンネル状況を測定し、測定による結果に基づいてＣＱＩを生成できる。
【０２３８】
例えば、ＮCSIは各構成に含まれたＣＳＩ-ＲＳポートの数(図１９のａｎｔｅｎｎａＰｏｒｔＣｏｕｎｔ-ｒ１０)であり、ＮＰは基地局が設定した全体ＣＳＩ-ＲＳポートの数(図１９のａｎｔｅｎｎａＰｏｒｔＣｏｕｎｔ-ｒ１３)であると仮定する。
【０２３９】
図１９と図２０に示すように、複数のＣＳＩ-ＲＳ構成を用いてチャンネル状態情報を生成する場合、各ＣＳＩ-ＲＳ構成に含まれたＣＳＩ-ＲＳポートを関連させるための方案が用意される必要がある。
【０２４０】
一例として、ＮCSI及びｒｅｓｏｕｒｃｅＣｏｎｆｉｇなど構成インデックスに対する昇順/降順にＣＳＩ-ＲＳポートインデックスをカウントできる。すなわち、一つのＣＳＩ-ＲＳ-Ｓｅｔ-Ｃｏｎｆｉｇ-ｒ１３でＮＰは４であり、次のような３個のＣＳＩ-ＲＳ構成が設定されると仮定する。
【０２４１】
[config.0:{NCSI=4，resourceConfig=0}、config.1:{NCSI=8，resourceConfig=3}、config.2:{NCSI=4，resourceConfig=4}]
【０２４２】
上記の例示のような状況で、ＣＳＩ-ＲＳポートが構成インデックスを昇順に整列する場合、端末は、各ＣＳＩ-ＲＳ構成が次のようなインデックスのＣＳＩ-ＲＳを含んでいると仮定する。
【０２４３】
ｃｏｎｆｉｇ．０:{１５，１６，１７，１８}番ＣＳＩ-ＲＳポート、ｃｏｎｆｉｇ．１：{２３，２４，２５，２６，２７，２８，２９，３０}番ＣＳＩ-ＲＳポート、ｃｏｎｆｉｇ．２：{１９，２０，２１，２２}番ＣＳＩ-ＲＳポート
【０２４４】
ここで、ＣＳＩ-ＲＳポートインデックスは、ＬＴＥ/ＬＴＥ-Ａシステムのように１５番から始めると仮定する。
【０２４５】
他の例で、各ＣＳＩ-ＲＳポートは、ＣＳＩ-ＲＳ構成の順序に従って昇順/降順に整列され得る。これによると、上記の例示のような状況で、ＣＳＩ-ＲＳポートは、次のように各ＣＳＩ-ＲＳ構成にマッピングされる。
【０２４６】
ｃｏｎｆｉｇ．０：{１５，１６，１７，１８}番ＣＳＩ-ＲＳポート、ｃｏｎｆｉｇ．１:{１９，２０，２１，２２，２３，２４，２５，２６}番ＣＳＩ-ＲＳポート、ｃｏｎｆｉｇ．２：{２７，２８，２９，３０}番ＣＳＩ-ＲＳポート
【０２４７】
もう一つの例で、基地局は、ＣＳＩ-ＲＳ構成の順序を端末に任意に割り当てることができる。例えば、ｃｏｎｆｉｇ．２-ｃｏｎｆｉｇ．０-ｃｏｎｆｉｇ．１の順序で指定する場合、ＣＳＩ-ＲＳポートは、次のように各ＣＳＩ-ＲＳ構成にマッピングされる。
【０２４８】
ｃｏｎｆｉｇ．０：{１９，２０，２１，２２}番ＣＳＩ-ＲＳポート、ｃｏｎｆｉｇ．１：{２３，２４，２５，２６，２７，２８，２９，３０}番ＣＳＩ-ＲＳポート、ｃｏｎｆｉｇ．２:{１５，１６，１７，１８}番ＣＳＩ-ＲＳポート
【０２４９】
本発明で提案される多様な実施形態によれば、一つのＣＳＩ-ＲＳ-Ｓｅｔ-Ｃｏｎｆｉｇ-ｒ１３に含まれた個別ＣＳＩ-ＲＳ構成が示すリソース位置は、重なってはならないことが明らかである。しかしながら、基地局は、特定意図により、一部ＣＳＩ-ＲＳリソースが重なるように設定できる。例えば、１個又は２個のＣＳＩ-ＲＳリソースが重なるように設定される場合、端末は、該当位置のＣＳＩ-ＲＳポートを水平方向と垂直方向のチャンネル状態情報を生成するのに同時に使用される基準ポイント(reference  point)であると判定できる。水平方向と垂直方向のチャンネル状態情報は、第１の次元と第２の次元のチャンネル状態情報と同一の意味を有する。
【０２５０】
上記の例示において、個別ＣＳＩ-ＲＳ構成による具体的なＣＳＩ-ＲＳポートの位置は、上記＜表５＞と下記の＜式５＞により決定され得る。
【０２５１】
【数１６】
2018512027.tif 000023
【０２５２】
上記＜式５＞で、ｐは、個別ＣＳＩ-ＲＳ構成内でのＣＳＩ-ＲＳポートインデックスである。
該当ＣＳＩ-ＲＳ構成の実際ＣＳＩ-ＲＳポートインデックスが
【数１７】
2018512027.tif 000024
とするとき、ＣＳＩ-ＲＳ構成のｎ番目のポートのためのｐは下記の＜式６＞により計算できる。
【０２５３】
【数１８】
2018512027.tif 000025
【０２５４】
上記例で全体測定を仮定したので、ＣＳＩ-ＲＳポートインデックスが順次に増加したが、部分測定を遂行する場合、これに制限されるものでなく、ＣＳＩ-ＲＳポートインデックスが不連続的に増加できる。これに対しては、今後詳細に記述される。
【０２５５】
一実施形態によれば、基地局は、任意の端末のために割り当てたＣＳＩ-ＲＳリソースに関する情報をビットマップを用いて任意の端末に直接知らせることができる。
【０２５６】
基地局は、任意の端末のためのＣＳＩ-ＲＳリソースを割り当て、所定の単位リソース割り当て領域内で割り当てられたＣＳＩ_ＲＳリソースの位置を知らせる情報をビットマップ形式で構成し、構成したビットマップを任意の端末に伝送できる。所定の単位リソース割り当て領域は、周波数領域を区分する１２個のサブキャリアと時間領域を区分する１４個のシンボルにより定義され得る。
【０２５７】
この場合、所定の単位リソース割り当て領域は１６８個のＲＥを含むことができる。基地局は、１６８個のＲＥのうち予め定められた位置のＲＥを用いてＣＳＩ-ＲＳリソースを割り当てることができる。ＣＳＩ-ＲＳリソースとして使用可能な位置(ＲＥ）は、図２０に示すようにＡ０からＪ１まで存在できる。Ａ０からＪ１に対応する位置には２個のＲＥがマッピングされる。
【０２５８】
基地局は、所定の単位リソース割り当て領域内に存在する各リソース(ＲＥ又はＡ０からＪ１）が割り当てられるか否かを知らせるビットマップを上位階層(例えば、ＲＲＣ階層)シグナリング又はＬ１シグナリングを用いて端末に伝送できる。例えば、ビットマップで１は該当リソースがＣＳＩ-ＲＳの伝送のために割り当てられることを示し、０は該当リソースがＣＳＩ-ＲＳの伝送のために割り当てられないことを示す。
【０２５９】
例えば、２個のＣＳＩ-ＲＳポートを基準として２０個のＣＳＩ-ＲＳリソースに対する位置を設定することができる。ビットマップは、所定の単位リソース割り当て領域内でＣＳＩ-ＲＳが伝送されるリソースに関する情報を端末に通知できる。
【０２６０】
これは、図２０でＣＳＩ-ＲＳリソースとして使用可能な位置に指定されたＡ０からＪ１に適用する場合、[Ａ０，Ａ１，Ｂ０，Ｂ１，Ｃ０，Ｃ１，Ｄ０，Ｄ１，Ｅ０，Ｅ１，Ｆ０，Ｆ１，Ｇ０，Ｇ１，Ｈ０，Ｈ１，Ｉ０，Ｉ１，Ｊ０，Ｊ１]＝[１，１，０，０，０，０，０，０，０，０，０，０，１，１，１，１，１，１，１，１]のようにビットマップを構成できる。ビットマップの例では、Ａ０，Ａ１，Ｇ０，Ｇ１，Ｈ０，Ｈ１，Ｉ０，Ｉ１，Ｊ０，Ｊ１に対応するリソースがＣＳＩ-ＲＳリソースとして割り当てられることを指示する。
【０２６１】
他の例では、４個のＣＳＩ-ＲＳポートを基準として１０個のＣＳＩ-ＲＳリソースに対する位置を設定することが可能である。ビットマップは、所定の単位リソース割り当て領域内でＣＳＩ-ＲＳが伝送されるリソースに関する情報を端末に通知できる。
【０２６２】
これを図２０でＣＳＩ-ＲＳリソースとして使用可能な位置に指定されたＡ０からＪ１に適用する場合、[Ａ０-Ａ１，Ｂ０-Ｂ１，Ｃ０-Ｃ１、Ｄ０-Ｄ１，Ｅ０-Ｅ１，Ｆ０-Ｆ１、Ｇ０-Ｇ１、Ｈ０-Ｈ１、Ｉ０-Ｉ１、Ｊ０-Ｊ１]＝[１，０，０，０，０，０，０，０，１，１]のようにビットマップを構成できる。ビットマップの例では、Ａ０，Ａ１，Ｉ０，Ｉ１，Ｊ０，Ｊ１に対応するリソースがＣＳＩ-ＲＳリソースとして割り当てられることを指示する。
【０２６３】
もう一つの例において、８個のＣＳＩ-ＲＳポートを基準として５個のＣＳＩ-ＲＳリソースに対する位置を設定することが可能である。ビットマップは、所定の単位リソース割り当て領域内でＣＳＩ-ＲＳが伝送されるリソースに関する情報を端末に通知できる。
【０２６４】
これは、図２０で、ＣＳＩ-ＲＳリソースとして使用可能な位置に指定されたＡ０からＪ１に適用する場合、[Ａ０-Ａ１-Ｂ０-Ｂ１，Ｃ０-Ｃ１-Ｄ０-Ｄ１，Ｅ０-Ｅ１-Ｆ０-Ｆ１，Ｇ０-Ｇ１-Ｈ０-Ｈ１，Ｉ０-Ｉ１-Ｊ０-Ｊ１]＝[１，０，０，１，１]のようにビットマップを構成できる。ビットマップの例では、Ａ０，Ａ１，Ｂ０，Ｂ１，Ｇ０，Ｇ１，Ｈ０，Ｈ１，Ｉ０，Ｉ１，Ｊ０，Ｊ１に対応するリソースがＣＳＩ-ＲＳリソースとして割り当てられることを指示する。
【０２６５】
８個のＣＳＩ-ＲＳポートを基準とする例示からわかるように、設定されたリソースより小さい数のＲＥでＣＳＩ-ＲＳが伝送されることが明らかである。例えば、８個のＣＳＩ-ＲＳポートを基準とするビットマップによると、Ａ０-Ａ１-Ｂ０-Ｂ１リソースを使用すると報告したが、図２０の例のようにＡ０-Ａ１位置のみでＣＳＩ-ＲＳが伝送され、Ｂ０-Ｂ１位置ではＣＳＩ-ＲＳが伝送されないことがある。
【０２６６】
ビットマップを通じるＣＭＲリソース構成でポートインデックスマッピングは、ビットマップのＬＳＢ又はＭＳＢを基準として順次に与えられる。
【０２６７】
例えば、４個のＣＳＩ-ＲＳポートを基準とする例のようにリソース等の位置を通知するビットマップが[Ａ０-Ａ１，Ｂ０-Ｂ１，Ｃ０-Ｃ１，Ｄ０-Ｄ１，Ｅ０-Ｅ１，Ｆ０-Ｆ１，Ｇ０-Ｇ１，Ｈ０-Ｈ１、Ｉ０-Ｉ１，Ｊ０-Ｊ１]＝[１，０，０，０，０，０，０，０，１]に設定されると仮定する。このために、基地局は、ビットマップのＬＳＢを基準としてＣＳＩ-ＲＳポートインデックスをマッピングできる。この場合、端末はＪ０-Ｊ１に１５，１６，１７，１８番に対応するＣＳＩ-ＲＳポートがマッピングされ、１０-１１に１９，２０，２１，２２番に対応するＣＳＩ-ＲＳポートがマッピングされ、Ａ０-Ａ１に２３，２４，２５，２６番に対応するＣＳＩ-ＲＳポートがマッピングされることがわかる。
【０２６８】
そうでなく、基地局がビットマップのＭＳＢを基準としてＣＳＩ-ＲＳポートインデックスをマッピングする場合、ＣＳＩ-ＲＳリソースに割り当てられる４個のＣＳＩ-ＲＳポートの順序は反対に付与される。
【０２６９】
一実施形態によると、ＦＤ-ＭＩＭＯシステムで端末が基地局のアンテナ配置を認知可能にする方案を用意することができる。
【０２７０】
これに対してより具体的に説明すると、基地局によりＣＳＩ-ＲＳリソースとＣＳＩ-ＲＳポートインデックスがマッピングされると、端末は、チャンネル状態情報を生成するためにＣＳＩ-ＲＳポートインデックスによる基地局アンテナの相対的な位置を判定しなければならない。基地局アンテナの相対的な位置は、ＣＳＩ-ＲＳとコードブックインデックスの関係により定義される。
【０２７１】
図２１は、本発明により提案される多様な実施形態により、基地局がＣＳＩ-ＲＳリソースとＣＳＩ-ＲＳポートインデックスをマッピングする例を示す。
【０２７２】
図２１を参照すると、全体測定である場合、基地局は、水平方向を基準としてＣＳＩ-ＲＳリソースとＣＳＩ-ＲＳポートインデックスをマッピング(図２１の左側)し、あるいは垂直方向を基準としてＣＳＩ-ＲＳリソースとＣＳＩ-ＲＳポートインデックスをマッピング(図２１の右側)することができる。
【０２７３】
例えば、水平方向を基準とする場合、基地局は、ＣＳＩ-ＲＳリソース配列で左側下段で最初に位置したＣＳＩ-ＲＳリソースから水平方向に移動しつつＣＳＩ-ＲＳポートインデックス１５乃至１９を順次に与えられ得る。その次に、基地局は、垂直方向に移動して左側下段で２番目に位置したＣＳＩ-ＲＳリソースから水平方向に移動しつつＣＳＩ-ＲＳポートインデックス２０乃至２４を順次に与えることができる。同一の方式で残りのＣＳＩ-ＲＳリソースに対してＣＳＩ-ＲＳポートインデックス２５乃至２９を順次に与えられる。
【０２７４】
他の例として、垂直方向を基準とする場合、基地局は、ＣＳＩ-ＲＳリソース配列で左側の１番目の下段に位置したＣＳＩ-ＲＳリソースから垂直方向へ移動しつつＣＳＩ-ＲＳポートインデックス１５乃至１７を順次に付与できる。その次に、基地局は、水平方向へ移動して左側の２番目の下段に位置したＣＳＩ-ＲＳリソースから垂直方向へ移動しつつＣＳＩ-ＲＳポートインデックス１８乃至２０を順次に与えられる。同一の方式で、残りのＣＳＩ-ＲＳリソースに対してＣＳＩ-ＲＳポートインデックス２１乃至２９を順次に付与できる。
【０２７５】
したがって、端末は、基地局によるＣＳＩ-ＲＳリソースとＣＳＩ-ＲＳポートインデックスのマッピング規則を認知する場合、基地局のアンテナの配列を予測できる。
【０２７６】
一実施形態によれば、基地局が端末にＮＰ＝１５，ＮＨ＝５であることを通知する場合、端末は、図１０に示すようなＣＳＩ-ＲＳリソースとＣＳＩ-ＲＳポートインデックスのマッピング関係を認知できる。図１０では、非編波アンテナを基準で示すものである。しかしながら、編波アンテナを使用する場合にも類似した方法でＣＳＩ-ＲＳリソースとＣＳＩ-ＲＳポートインデックスのマッピングがなされることがある。
【０２７７】
しかしながら、部分測定である場合、基地局は、ＣＳＩ-ＲＳの伝送のために割り当てられたすべてのＣＳＩ-ＲＳリソースでＣＳＩ-ＲＳを伝送しないことがある。すなわち、部分測定である場合、基地局は、任意の端末のために割り当てられたＣＳＩ-ＲＳリソースに対するＣＳＩ-ＲＳパンクチャを遂行できる。この場合、基地局は、端末にどのＴＸＲＵがＣＳＩ-ＲＳを伝送したかに関する情報を通知しなければならない。例えば、基地局は、ＣＳＩ-ＲＳを伝送するＴＸＲＵに関する情報を交差点指示(cross  point  indication)方法、ビットマップ指示方法、及び複合ビットマップ指示(hybrid  bitmap  indication)方法などが使用され得る。
【０２７８】
方法１：交差点指示
【０２７９】
提案される方法１では、端末が基地局により提供される交差点基準信号の位置を使用してＣＳＩ-ＲＳパンクチャパターンを認知するようにする方案を提案する。
【０２８０】
これについてより具体的に説明すれば、端末が基地局のアンテナ構成情報｛ＮＨ，ＮＶ｝を知っている場合、端末は、交差点基準信号の位置｛ＮＣ，ＭＣ｝のみで基地局でのＣＳＩ-ＲＳパンクチャパターンを認知できる。ここで、基地局のアンテナ構成情報｛ＮＨ，ＮＶ｝は、水平方向へのアンテナ個数ＮＨと垂直方向へのアンテナ個数ＮＶによるアンテナ配列(又はＣＳＩ-ＲＳパターン）を定義する情報である。
【０２８１】
交差点基準信号の位置｛ＮＣ，ＭＣ｝は、基地局のアンテナ構成情報｛ＮＨ，ＮＶ｝によるアンテナ配列(又はＣＳＩ-ＲＳパターン)から水平方向に配列されたＣＳＩ-ＲＳリソース(ＣＳＩ-ＲＳポート）と垂直方向に配列されるＣＳＩ-ＲＳリソース(ＣＳＩ-ＲＳポート）が交差する位置であり得る。ここで、ＮＣは、交差点基準信号の位置を指定する水平方向インデックスであり、ＭＣは、交差点基準信号の位置を指定する垂直方向インデックスである。基準信号の位置｛ＮＣ，ＭＣ｝は、上位階層シグナリング又は動的シグナリングを通じて基地局により端末に提供される。
【０２８２】
端末は、基地局のアンテナ構成情報｛ＮＨ，ＮＶ｝によるアンテナ配列(又はＣＳＩ-ＲＳパターン）と交差点基準信号の位置｛ＮＣ，ＭＣ｝を獲得すると、アンテナ配列(又はＣＳＩ-ＲＳパターン)で獲得した交差点基準信号の位置｛ＮＣ，ＭＣ｝を基準として水平方向に配列されたアンテナ(またはＣＳＩ-ＲＳポート）と垂直方向に配列されたアンテナ(またはＣＳＩ-ＲＳポート）を除いた残りのアンテナ(又はＣＳＩ-ＲＳポート)にマッピングされたＣＳＩ-ＲＳリソースをパンクチャするＣＳＩ-ＲＳパンクチャパターンを獲得できる。
【０２８３】
このために、基地局は、端末がアンテナ配列(又はＣＳＩ-ＲＳパターン）を認知可能にするアンテナ構成情報｛ＮＨ，ＮＶ｝を既に知っていることを前提とし、交差点基準信号の位置｛ＮＣ，ＭＣ｝を端末に通知できる。交差点基準信号の位置｛ＮＨ，ＮＶ｝は直接に基地局により端末に伝送され、あるいはコードブック構成を通じて基地局が暗黙的に(implicit)端末に伝送され得る。
【０２８４】
図２２は、本発明により提案される多様な実施形態により交差点基準信号の位置に対する例を示す。
【０２８５】
図２２を参照すると、交差点基準信号の位置２２１０又は２２２０は、両方とも水平方向のチャンネル成分と垂直方向のチャンネル成分を測定するために使用される基準信号の位置を意味する。
【０２８６】
例えば、ＮＨが５であり、ＮＶが３である場合に、交差点基準信号の位置が(０，０)である場合、端末は、図２２の左側のように基地局で使用されるＣＳＩ-ＲＳパンクチャパターンを類推できる。他の例として、ＮＨが５であり、ＮＶが３である場合に、交差点基準信号の位置が(２，１)である場合、端末は、図２２の右側のように基地局で使用されるＣＳＩ-ＲＳパンクチャパターンを類推できる。
【０２８７】
方法２：ビットマップ指示
【０２８８】
提案された方法２では、基地局が所定個数のＣＳＩ-ＲＳポートの各々に対応するパンクチャ可否(ＣＳＩ-ＲＳ伝送可否)を指示するビットマップ(又はビット列）を構成し、構成したビットマップを端末に提供することによって、端末がＣＳＩ-ＲＳパンクチャパターンを認知するようにする方案を提案する。
【０２８９】
これについてより具体的に説明すると、基地局は、ビット数がＮγであるビットシーケンスを上位階層でのシグナリングを通じて端末に伝送できる。このビットシーケンスを構成するビット数ＮγはＣＳＩ-ＲＳポートの全体個数に該当する。ビットシーケンスを構成するＮＰ個のビットと所定個数のＣＳＩ-ＲＳポートは一対一でマッピングできる。この場合、ビットシーケンスを構成する一つのビット値はＣＳＩ-ＲＳポートのうち対応する一つのＣＳＩ-ＲＳポートでＣＳＩ-ＲＳを伝送するか否かを指示できる。例えば、特定ビットの値が０である場合、特定ビットに対応するＣＳＩ-ＲＳポートでのＣＳＩ-ＲＳ伝送がなされないこと(ＣＳＩ-ＲＳがオフ）を指示することであり、特定ビットの値が１である場合、特定ビットに対応するＣＳＩ-ＲＳポートでのＣＳＩ-ＲＳ伝送がなされる(ＣＳＩ-ＲＳがオン）ことを指示することである。
【０２９０】
図２３は、本発明により提案される多様な実施形態により、ビットマップを用いて基地局のＣＳＩ-ＲＳパンクチャパターンを端末により認知される例を示す。
【０２９１】
図２３を参照すると、ＮＨが４であり、ＮＶが２であるクロスポールアンテナを使用すると仮定する。図２３で左側はＣＳＩ-ＲＳポートの各々に対して与えられたＣＳＩ-ＲＳポートインデックスによる相対的な位置を定義し、ＣＳＩ-ＲＳポートが各々ＣＳＩ-ＲＳを伝送するか否かを示す。例えば、ＣＳＩ-ＲＳポートのうち着色されたＣＳＩ-ＲＳポートはＣＳＩ-ＲＳが伝送されるＴＸＲＵを示し、ＣＳＩ-ＲＳポートのうち着色されないＣＳＩ-ＲＳポートはＣＳＩ-ＲＳが伝送しないＴＸＲＵを示す。
【０２９２】
図２３で、右側はＣＳＩ-ＲＳポートの各々でＣＳＩ-ＲＳが伝送されるかを指示するビットからなるビットシーケンス(又はビットマップ）を示す。ビットシーケンスで最初のビット、すなわち最も右側に位置するビット２３２０がＬＳＢに該当し、最後のビット、すなわち最も左側に位置するビット２３１０がＭＳＢに該当する。
【０２９３】
例えば、ＣＳＩ-ＲＳポートの各々を指示するＣＳＩ-ＲＳポートインデックスとして１５乃至３０が使用される場合、ビットシーケンスを構成するＬＳＢ２３２０の値はＣＳＩ-ＲＳポートインデックスが１５であるＣＳＩ-ＲＳポートでＣＳＩ-ＲＳが伝送されるか否かを指示する。以後に連続するビット値は、ＣＳＩ-ＲＳポートインデックスが１６から１ずつ増加するＣＳＩ-ＲＳポートでＣＳＩ-ＲＳが伝送されるか否かを示す。最後のビット値、すなわちＭＳＢ２３１０の値は、ＣＳＩ-ＲＳポートインデックスが３０であるＣＳＩ-ＲＳポートでＣＳＩ-ＲＳが伝送されるか否かを示す。
【０２９４】
上記したように、左側に示すＣＳＩ-ＲＳポートで各々のＣＳＩ-ＲＳが伝送されるか否かに基づいて最終生成されて右側に示すビットシーケンスが[０００１１１１１０００１１１１１]であることが確認できる。この場合、ビット値０はＣＳＩ-ＲＳが伝送されないことを示し、ビット値１はＣＳＩ-ＲＳが伝送されることを示す。
【０２９５】
方法３：複合ビットマップ指示
【０２９６】
提案された方法３では、交差点指示による方法１とビットマップ指示による方法２とを組み合わせて基地局により端末にＣＳＩ-ＲＳパンクチャパターンを案内する方法を提案する。
【０２９７】
これについてより具体的に説明すれば、ビットマップは、垂直/水平方向のうち一方向を測定するためのＣＳＩ-ＲＳポートを０に指定し、残りの方向を測定するためのＣＳＩ-ＲＳポートを１に指定すると仮定する。
【０２９８】
例えば、ＮＨが４であり、ＮＶが２である場合、ビットマップが[００００１１]である場合、前部分４個のＣＳＩ-ＲＳポートが水平方向のチャンネル測定に使用され、後部分２個のＣＳＩ-ＲＳポートが垂直方向のチャンネル測定に使用されることを示す。このとき、交差点基準信号は、該当グループと反対のビットを割り当てて通知され得る。一例として、交差点基準信号の位置｛ＮＣ，ＭＣ｝が{３，１}である場合、水平方向に４番目のＣＳＩ-ＲＳポートと垂直方向に２番目のＣＳＩ-ＲＳポートのビットが変わらなければならないので、ビットマップは[００００１１]から[０００１１０]に変換できる。
【０２９９】
図２４は、本発明により提案される多様な実施形態により、複合ビットマップ指示によるＣＳＩ-ＲＳパンクチャパターンを認知するようにする例を示す。
【０３００】
図２４を参照すると、ＮＨが４であり、ＮＶが２である直交編波アンテナを使用することを仮定する。図２３で、左側はＮＣが０であり、ＭＣが０である交差点基準信号の位置に対するビットマップシーケンスを示し、右側はＮＣが２であり、ＭＣが１である交差点基準信号の位置に対するビットマップシーケンスを示す。この場合、ビットマップシーケンスの結果は、以前に定義した細部定義(ＣＳＩ-ＲＳポートグループ別ビット割り当て等)に従って変わる。
【０３０１】
一実施形態によると、ＦＤ-ＭＩＭＯシステムにおいて基地局がＣＳＩ-ＲＳリソースに対する実際の使用有無を指示する情報を端末と共有する方案を用意することができる。これは、任意の端末に対して割り当てられたＣＳＩ-ＲＳリソースのうちＣＳＩ-ＲＳが伝送されないＣＳＩ-ＲＳリソースにより、追加的な干渉又は雑音が発生することを防止するためである。
【０３０２】
これについてより具体的に説明すると、ビットマップに基づいてＣＳＩ-ＲＳパンクチャパターンを指示する場合、基地局は、ＣＳＩ-ＲＳが存在しない位置(null  location)に関する情報を端末に通知することができる。基地局は、端末にどんなコードブック係数をチャンネル状態情報を生成するのに使用しないかを指示する。
【０３０３】
図２５は、本発明で提案される多様な実施形態により、ＦＤ-ＭＩＭＯシステムで使用されないＣＳＩ-ＲＳを通知する例を示す。
【０３０４】
図２５を参照すると、端末が５個のＣＳＩ-ＲＳを用いてチャンネル状態情報を生成させるために、基地局は、８個のＣＳＩ-ＲＳリソースを端末のために割り当て、割り当てられた８個のＣＳＩ-ＲＳリソースのうち３個のＣＳＩ-ＲＳリソースでＣＳＩ-ＲＳを伝送しないことがある。
【０３０５】
この場合、端末がＣＳＩ-ＲＳが伝送しない３個のＣＳＩ-ＲＳリソースを知らない場合、ＣＳＩ-ＲＳが伝送しない３個のＣＳＩ-ＲＳリソースで干渉または雑音がさらに発生する可能性がある。
【０３０６】
基地局は、任意の端末のために割り当てられたＣＳＩ-ＲＳリソースのうちＣＳＩ-ＲＳの伝送がなされない少なくとも一つのＣＳＩ-ＲＳリソースを指示するＣＳＩ-ＲＳパンクチャパターンを多様な方案により、任意の端末に通知できる。それによって、割り当てられたＣＳＩ-ＲＳリソースのうち一部ＣＳＩ-ＲＳリソースでＣＳＩ-ＲＳが伝送されないことによって不必要な性能劣化が発生することを防止できる。
【０３０７】
一実施形態によれば、ＦＤ-ＭＩＭＯシステムで基地局がＣＭＲを構成するために設定された複数のＣＳＩ-ＲＳリソースのうち少なくとも２個のＣＳＩ-ＲＳリソースを一つのＣＳＩ-ＲＳポートにマッピングする方案を用意する。すなわち、各ＣＳＩ-ＲＳリソースが一部ＣＳＩ-ＲＳポートインデックスを共有するようにするＣＭＲオペレーティング方式を提案する。
【０３０８】
図２６は、本発明で提案される多様な実施形態により、ＦＤ-ＭＩＭＯシステムにおいてＣＳＩ-ＲＳリソースが一部ＣＳＩ-ＲＳポートインデックスを共有する例を示す。
【０３０９】
図２６を参照すると、一つのＣＭＲは、総３個のＣＳＩ-ＲＳリソース要素２６１０，２６２０，２６３０により構成される。３個のＣＳＩ-ＲＳリソース要素２６１０，２６２０，２６３０ではＣＳＩ-ＲＳポートインデックス１５乃至１８が各々見えることができる。３個のＣＳＩ-ＲＳリソース要素２６１０，２６２０，２６３０の各々は、独立的なリソースとして扱われる。この場合、３個のＣＳＩ-ＲＳリソース要素２６１０，２６２０，２６３０の各々は異なるＣＳＩを生成するのに使用できる。
【０３１０】
基地局は、例えば、３個のＣＳＩ-ＲＳリソース要素２６１０，２６２０，２６３０の各々に異なるビームフォーミング加重値を適用し、これに基づいて端末にＣＳＩ-ＲＳを伝送できる。端末は、自身が好むＣＳＩ-ＲＳリソースのインデックスと該当ＣＳＩ-ＲＳリソースのＣＳＩ-ＲＳポートに基づいてＣＳＩを生成できる。端末は生成したＣＳＩを基地局に報告できる。
【０３１１】
他の例として、基地局は、３個のＣＳＩ-ＲＳリソース要素２６１０，２６２０，２６３０の各々に対して異なるビームフォーミング加重値を適用して端末に伝送する。この場合、端末は、各ＣＳＩ-ＲＳリソースで伝送されたＣＳＩ-ＲＳポートに基づいてＣＳＩを生成し、生成したＣＳＩをすべて基地局に報告することが可能である。。
【０３１２】
図２７は、本発明により提案される多様な実施形態により、ＦＤ-ＭＩＭＯシステムで各ＣＳＩ-ＲＳリソースが一部ＣＳＩ-ＲＳポートインデックスを共有する他の例を示す。
【０３１３】
図２７を参照すると、一部ＣＳＩ-ＲＳリソースは相互に関連され、残りのＣＳＩ-ＲＳリソースは独立的なリソースとしてオペレーティングすることが可能である。
【０３１４】
例えば、一つのＣＭＲは、総３個のＣＳＩ-ＲＳリソース要素２７１０，２７２０，２７３０により構成される。３個ののＣＳＩ-ＲＳリソース要素２７１０，２７２０，２７３０のうち２個のＣＳＩ-ＲＳリソース要素２７１０，２７３０は、相互に関連されて一つのＣＳＩ-ＲＳリソースとしてオペレーティングされ、残りの一つのリソース要素２７２０は、別個のＣＳＩ-ＲＳリソースとしてオペレーティングされる。
【０３１５】
この場合、端末は、相互関連されて一つのＣＳＩ-ＲＳリソースとしてオペレーティングされる２個のＣＳＩ-ＲＳリソース要素２７１０，２７３０で伝送されるＣＳＩ-ＲＳポートに基づいて一つのＣＳＩを生成できる。端末は、別個のＣＳＩ-ＲＳリソースでオペレーティングされる一つのＣＳＩ-ＲＳリソース要素２７２０で伝送されるＣＳＩ-ＲＳポートに基づいて他の一つのＣＳＩを生成できる。端末は、他の一つのＣＳＩを用いて好むＣＳＩ-ＲＳリソースのインデックスと該当ＣＳＩを基地局に報告することが可能である。
【０３１６】
他の例で、端末は、相互関連されて一つのＣＳＩ-ＲＳリソースで運営される２個のＣＳＩ-ＲＳリソース要素２７１０，２７３０で伝送されるＣＳＩ-ＲＳポートに基づいて一つのＣＳＩを生成し、別個のＣＳＩ-ＲＳリソースで運営される一つのＣＳＩ-ＲＳリソース要素２７２０で伝送されるＣＳＩ-ＲＳポートに基づいて他の一つのＣＳＩを生成し、２種類のＣＳＩすべて使用して自身が好むＣＳＩ-ＲＳリソースのインデックスと該当ＣＳＩを基地局に報告することが可能である。
【０３１７】
一実施形態によると、ＦＤ-ＭＩＭＯシステムでＣＭＲ構成のために一つ以上のＣＳＩ-ＲＳリソースを設定するための上位階層でのシグナリング手順を用意することができる。
【０３１８】
図２８は、本発明により提案される多様な実施形態により複数のＣＳＩ-ＲＳが設定される一つのＣＳＩプロセスの一例を示す。
【０３１９】
図２８を参照すれば、総Ｎ個の非ゼロパワー(ＮＺＰ)ＣＳＩ-ＲＳリソースは、ＩＤリストを利用し(参照番号２８３０)またはＮ個のＣＳＩ-ＲＳ構成リストを利用して管理することが可能である。この場合、各ＣＳＩ-ＲＳリソースに含まれるＣＳＩ-ＲＳポートの数は参照番号２８４０に示すように設定される。
【０３２０】
全体ＣＳＩ-ＲＳポートの個数２８２０は、一つのＣＳＩプロセス２８１０により設定される。この場合、全体ＣＳＩ-ＲＳポートの個数２８２０は、各ＮＺＰ  ＣＳＩ-ＲＳ配置に対して設定される数(参照番号２８４０）の総和と等しいかあるいは小さいことがある。
【０３２１】
あるいは、一つのＣＳＩプロセス２８１０に含まれる全体ＣＳＩ-ＲＳポートの個数は、各ＮＺＰ  ＣＳＩ-ＲＳ配置に対して設定される数(参照番号２８４０）の総和により定義され得る。この場合、全体ＣＳＩ-ＲＳポートの個数２８２０は省略可能である。
【０３２２】
または、一つのＣＳＩプロセス２８１０に含まれる各ＣＳＩ-ＲＳリソースがすべて同一の数のＣＳＩ-ＲＳポートの個数を有するように設定できる。この場合、各ＣＳＩ-ＲＳリソースのＣＳＩ-ＲＳポート個数は、全体ＣＳＩ-ＲＳポートの個数２８２０により設定され、各ＮＺＰ  ＣＳＩ-ＲＳ配置に対して設定される数(参照番号２８４０）は省略できる。
【０３２３】
全体ＣＳＩ-ＲＳポートの個数２８２０の設定は一つの例示であり、特に本実施形態で{ａｎ１，ａｎ２，ａｎ４，ａｎ８}に設定されることが可能である。本実施形態において、ＣＭＲに含まれるＣＳＩ-ＲＳポートの総個数は、ＣＳＩ-ＲＳポートの数とＣＳＩ-ＲＳリソースの数との積として定義できる。
【０３２４】
一方、提案された実施形態でのＣＳＩ-ＲＳポートの数は、特定個数に制限されるものではなく、３０，３２，５６，６４等の多様な個数を含むように設定できることはもちろんである。
【０３２５】
図２９は、本発明で提案された多様な実施形態により、複数のＣＳＩ-ＲＳが設定される一つのＣＳＩプロセスの他の例を示す。
【０３２６】
図２９を参照すれば、参照番号２９３０に示すように、総Ｎ個の非ゼロパワー(ＮＺＰ)ＣＳＩ-ＲＳリソースを直接設定できる。このとき、Ｎは２である場合を仮定する。一つのＣＳＩプロセス２９１０は、ＣＳＩ-ＲＳポートの総個数を参照番号２９２０に示すように指定できる。また、図２８を参照して説明した参照番号２８２０を省略する原理と同一の理由で参照番号２９２０も省略可能である。参照番号２８２０及び２９２０の例示は、ＣＳＩ-ＲＳポート数をこれに制限されるものではなく、３０，３２，５６，６４等多様な数を含むように設定され得る。
【０３２７】
図３０は、本発明で提案される多様な実施形態により、ＣＳＩ-ＲＳポートを設定する他の例を示す。
【０３２８】
図３０に示すように、複数のＣＳＩ-ＲＳリソース(Ｒｅｌｅａｓｅ１２  ＣＳＩ-ＲＳリソース)に基づいて{１，２，４，８}個以外のＣＳＩ-ＲＳポートを含むＣＳＩ-ＲＳリソース、例えば１２又は１６個のＣＳＩ-ＲＳポートを設定するための上位階層(ＲＲＣ)シグナリングを設定することが可能である。
【０３２９】
例えば、ＣＳＩ-ＲＳリソースの位置を知らせるインジケータ３０２０は、参照番号３０１０により指定されるＣＳＩ-ＲＳポートの個数が{１，２，４，８}のうちいずれか一つでない場合、既存のＣＳＩ-ＲＳリソースが合成されて作られたＣＭＲのうち一つの位置を指定するインジケータであり得る。
【０３３０】
例えば、参照番号３０１０で、ＣＳＩ-ＲＳポートの個数が１６個に指定され、１６個のＣＳＩ-ＲＳポートを構成するＣＭＲが２個のＣＳＩ-ＲＳポートグループで構成されると仮定する。この場合、一つのＣＳＩ-ＲＳポートグループは８個のＣＳＩ-ＲＳポートで構成され得る。
【０３３１】
参照番号３０２０に指定されたインジケータは、所定個数のＣＭＲパターンのうちいずれか一つの使用を指示できる。
【０３３２】
図３１は、本発明により提案される多様な実施形態によるＣＭＲパターンの一例を示す。
【０３３３】
図３１を参照すると、ＡからＪまで総１０個のＣＭＲパターンが生成される。１０個のＣＭＲパターンＡ乃至Ｊの各々に対して予めインジケータが設定され得る。例えば、ＣＭＲパターン指示が０である場合にパターンＡ、１である場合にパターンＢ、２である場合パターンＣ、９である場合にパターンＪを使用するように予め約束できる。
【０３３４】
ＣＭＲパターンＡからＪまでの順序は重要でなく、状況に応じて順序が変わることができることはもちろんである。また、すべてのパターンにインジケータをマッピングしないことがあり、必要によって一部パターンに対してはインジケータをマッピングすることを省略できる。
【０３３５】
例えば、図２７の参照番号２７０１及び２７３０に示すように、１２個のＣＳＩ-ＲＳポートでＣＳＩ-ＲＳを伝送する場合、図３１でのパターンＡのようにＣＳＩ-ＲＳリソースを割り当て、この割り当てたＣＳＩ-ＲＳリソースのうち一部ＣＳＩ-ＲＳリソース(すなわち、参照番号２７１０及び２７３０)でのみＣＳＩ-ＲＳを伝送することが可能である。
【０３３６】
一方、隣接した２個のＯＦＤＭシンボルに対するＣＤＭ(Code  Division  Multiplexing)、すなわちＣＤＭ-２のみをサポートする現在のＣＳＩ-ＲＳマッピングと違い、ＣＳＩ-ＲＳ電力ブースティング等多様な理由で４個のＲＥに対するＣＤＭ-４をサポートするように拡張することができる。
【０３３７】
この場合、２個のＲＥからなされる２個のＣＤＭグループを集めて新たな一つのＣＤＭグループを生成し、新たな一つのＣＤＭグループに含まれる４個のＲＥにＣＤＭ-４に対する長さ４のＯＣＣ(Orthogonal  Cover  Code)が適用され得る。２個のＲＥからなされる２個のＣＤＭグループと同一のＯＦＤＭシンボルに存在することも可能であり、あるいは異なるＯＦＤＭシンボルに存在することも可能であることは明らかである。
【０３３８】
ＣＳＩ-ＲＳマッピングのための便宜を考慮して時間ドメインＣＤＭ-４のみを考慮する場合、一つのＣＤＭグループに含まれるすべてのＲＥは異なるＯＦＤＭシンボルに位置しなければならない。これは、２個のＲＥからなされる２個のＣＤＭグループが異なるＯＦＤＭシンボルに位置しなければならないことを意味する。
【０３３９】
図３２は、本発明により提案される多様な実施形態により、リソースインジケータによりＣＭＲパターンが指示される例を示す。
【０３４０】
図３２を参照すると、７個のパターン(Ａ乃至Ｇ）は１０個のパターン(図３１に示したパターン)のうち所定の条件(以前に提案した条件）を満たすパターンに該当する。したがって、上記７個のパターンは各々リソースインジケータ(図３０の３０２０)により指示されるように制限される。
【０３４１】
例えば、リソースインジケータが０である場合にはパターンＡ、１である場合にはパターンＢ、７である場合にはパターンＧを使用するように約束することが可能である。ＣＳＩ-ＲＳ  ＲＥ間のタイムオフセットにより発生する位相シフトを考慮してＲＥ間最大距離が最も大きいＧパターン３２１０を除いた場合、リソースインジケータは、パターンＡ乃至パターンＦに該当する６個のパターンを指示するように制限されることが可能である。
【０３４２】
図３０及び図３１で示す例は、１６個のＣＳＩ-ＲＳポートを構成するＣＭＲが(各々が８個のＣＳＩ-ＲＳポートに対応する８個のＣＳＩ-ＲＳリソースを含む)２個のＣＤＭグループで構成されると仮定される。この場合、ＣＭＲを構成するレガシーＣＳＩ-ＲＳリソース組み合わせが変わる場合、そのパターンが変わることがある。例えば１６個のＣＳＩ-ＲＳポートを含むＣＭＲが(各々が４個のＣＳＩ-ＲＳポートに対応する４個のＣＳＩ-ＲＳリソースを含む)４個のＣＤＭグループで構成される場合、あるいは１２個のＣＳＩ-ＲＳポートを含むＣＭＲが８個のＣＳＩ-ＲＳポートを含む一つのＣＤＭグループと、４個のＣＳＩ-ＲＳポートを含む一つのＣＤＭグループで構成される場合、または１２個のＣＳＩ-ＲＳポートを含むＣＭＲが(各々が４個のＣＳＩ-ＲＳポートに対応する４個のＣＳＩ-ＲＳリソースを含む)３個のＣＤＭグループで構成される場合のように仮定が変わる場合、パターンの個数と形態がそれに合うように変わることができる。
【０３４３】
図３３は、本発明で提案される多様な実施形態によりＣＳＩ-ＲＳリソースを割り当てるパターンに対する一例を示す。
【０３４４】
図３３を参照すると、４０個のパターンは、例えば、１２個のＣＳＩ-ＲＳポートを含むＣＭＲが８個のＣＳＩ-ＲＳポートを含む一つのＣＤＭグループと、４個のＣＳＩ-ＲＳポートを含む一つのＣＤＭグループで構成される場合に設定することができる。
【０３４５】
８個のＣＳＩ-ＲＳポートを含む一つのＣＤＭグループに対応するＣＳＩ-ＲＳリソースをパターンＡ３３１０と共に設定する場合、Ａ１からＡ８までのパターンにより表現される８個のＣＤＭグループのうちいずれか一つを追加して設定できる。Ａ１からＡ８までのパターンにより表示される８個のＣＤＭグループの各々は４個のＣＳＩ-ＲＳポートを含むことができる。
【０３４６】
同様に、８ポートＣＳＩ-ＲＳリソースをパターンＢ、Ｃ、Ｄ、Ｅが各々８つの４ポートＣＳＩ-ＲＳリソース選択を有するので、総４０個のパターンが設定されることができる。この場合、図２９で参照番号２９２０のようなリソースインジケータが０である場合にはパターン(Ａ，Ａ１)であり、１である場合にはパターン(Ａ，Ａ２)であり、２である場合にはパターン(Ａ，Ａ３)であり、３９である場合にはパターン(Ｅ、Ｅ８）を使用するように事前に約束することができる。
【０３４７】
上記例示は、８ポートＣＳＩ-ＲＳリソースと１個の４ポートＣＳＩ-ＲＳリソースで構成されるすべてのパターンを示すもので、図３に示すようにＣＤＭ-４構成又は端末の複雑度も考慮して一部パターンの選択が制限されることもある。
【０３４８】
他の例示では１２ポートＣＭＲが３個の４ポートＣＳＩ-ＲＳリソースで構成される場合、総１０個の４ポートＣＳＩ-ＲＳリソースのうち３つを選択するようになるので、
【数１９】
2018512027.tif 000026
個のパターンを設定することが可能である。この場合、各パターンの形状は、図３０及び図３２での例のような方法で示すことができる。したがって、各々に関する詳細な説明は省略する。一方、本実施形態でも図３１での例のように他人のドメインＣＤＭ-４を考慮して一つのＣＤＭグループに含まれるすべてのＲＥが異なるＯＦＤＭシンボルに位置するように制限することが可能である。
【０３４９】
このために一つ方法で、３個の４ポートＣＳＩ-ＲＳリソースが各々他のＯＦＤＭシンボルに位置するように制限できる。以後、各レガシーＣＳＩ-ＲＳリソースを構成する２個のＲＥからなされるＣＤＭグループは、異なるＯＦＤＭシンボルに位置したＣＤＭグループに接続されてＣＤＭ-４のための新たな一つのＣＤＭグループを形成できる。
【０３５０】
図３４は、本発明により提案される多様な実施形態によるＣＳＩ-ＲＳリソースを割り当てるパターンに対する他の例を示す。
【０３５１】
図３４を参照すると、３個の４ポートＣＳＩ-ＲＳリソースはパターンＡ１  ３４１０、パターンＢ１  ３４２０、パターンＣ１  ３４３０のように設定される。この場合、ＣＤＭ-４のための新たなＣＤＭグループ設定の一例として、参照番号３４１２と３４２２が一つの新たなＣＤＭグループを形成し、参照番号３４２４と３４３２が他の一つの新たなＣＤＭグループを形成し、参照番号３４３４と３４１４がもう一つの他の新たなＣＤＭグループを形成できる。
【０３５２】
本実施形態では、１２ポートＣＳＩ-ＲＳパターンを構成するための４ポートＣＳＩ-ＲＳパターンは、図３３の{Ａ１，Ａ２}のうちいずれか一つ、{Ｂ１，Ｂ２，Ｂ３，Ｂ４，Ｂ５，Ｂ６}のうちいずれか一つ、そして{Ｃ１，Ｃ２}のうちいずれか一つとして選択可能である。したがって、総２４個の１２ポートＣＳＩ-ＲＳパターンが利用可能であることがわかる。
【０３５３】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。上記特許請求の範囲に記載された技術的思想の範疇内において、各種の変更例又は修正例に想到し得ることは明らかであり、これらについても、当然に本発明の技術的範囲に属するものと了解される。
【符号の説明】
【０３５４】
１００  アンテナセット
５１０  基地局
５２０  端末
７１０  制御部
７２０  通信部
７１２  リソース割り当て部
８１０  制御部
８２０  通信部
８１２  チャンネル推定部
【図１】
2018512027.tif 000027
【図２】
2018512027.tif 000028
【図３】
2018512027.tif 000029
【図４】
2018512027.tif 000030
【図５】
2018512027.tif 000031
【図６】
2018512027.tif 000032
【図７】
2018512027.tif 000033
【図８】
2018512027.tif 000034
【図９】
2018512027.tif 000035
【図１０】
2018512027.tif 000036
【図１１】
2018512027.tif 000037
【図１２】
2018512027.tif 000038
【図１３】
2018512027.tif 000039
【図１４】
2018512027.tif 000040
【図１５】
2018512027.tif 000041
【図１６】
2018512027.tif 000042
【図１７】
2018512027.tif 000043
【図１８】
2018512027.tif 000044
【図１９】
2018512027.tif 000045
【図２０】
2018512027.tif 000046
【図２１】
2018512027.tif 000047
【図２２】
2018512027.tif 000048
【図２３】
2018512027.tif 000049
【図２４】
2018512027.tif 000050
【図２５】
2018512027.tif 000051
【図２６】
2018512027.tif 000052
【図２７】
2018512027.tif 000053
【図２８】
2018512027.tif 000054
【図２９】
2018512027.tif 000055
【図３０】
2018512027.tif 000056
【図３１】
2018512027.tif 000057
【図３２】
2018512027.tif 000058
【図３３】
2018512027.tif 000059
【図３４】
2018512027.tif 000060
【国際調査報告】
2018512027.tif 000061
2018512027.tif 000062
2018512027.tif 000063
2018512027.tif 000064